(57)【要約】      （修正有）【課題】時々刻々と変化する移動局と基地局との間の電波伝送路の状態（特に距離）をおり忠実に考慮した移動局の送信電力制御をおこなう。【解決手段】移動局と各基地局との間の電波伝送路での伝搬損失を演算する伝搬損失演算手段と、移動局にて得られる各基地局からの送信電力制御情報と、上記伝搬損失演算手段にて演算された各基地局と移動局との間の電波伝送路の伝搬損失とに基づいて移動局の送信電力制御に用いられるべき送信電力制御情報を決定し、受信信号品質が所定の品質より低下したと判定されたときには、送信電力を、他の通信装置からの送信電力制御情報にかかわらず、当該判定時の送信電力値から所定の特性に従って上昇させる自律制御手順を有し、基地局からの信号に対する移動局での同期が確立された後に、基地局からの送信電力制御情報に係わらず、送信電力を、初期値から所定の特性に従って上昇させるように制御することである。【選択図】図１１
2006262502.tif 000002
【特許請求の範囲】
【請求項１】
他の通信装置と信号の無線送受信を行い、受信信号品質に基づいて決定した上記他の通信装置での送信電力制御に用いられるべき送信電力制御情報を送信する通信装置での送信電力を上記他の通信装置からの所定の情報に基づいて制御する送信電力制御方法において、
上記受信信号品質が所定の品質より低下したか否かを判定する品質判定手順と、
該品質判定手順により当該受信信号品質が所定の品質より低下したと判定されたときに、送信電力を、上記他の通信装置からの所定の情報にかかわらず、当該判定時の送信電力値から所定の特性に従って上昇させる自律制御手順とを有する送信電力制御方法。
【請求項２】
請求項１記載の送信電力制御方法において、
上記通信装置は、受信信号品質値が目標受信品質値に近づくように決定した送信電力制御情報を他の通信装置に送信するものであって、
上記品質判定手順は、上記受信信号品質値が第一の閾値より低下したか否かを判定する第一の閾値判定手順を有し、
上記第一の閾値判定手順にて上記受信信号品質値が上記第一の閾値より低下していると判定されたときに、上記受信信号品質が所定の品質より低下したと判定する送信電力制御方法。
【請求項３】
請求項１記載の送信電力制御方法において、
上記通信装置は、受信信号品質値が目標受信品質値に近づくように決定した送信電力制御情報を他の通信装置に送信するものであって、
上記品質判定手順は、上記目標受信品質値から上記受信品質値を減算して差分値を演算する差分値演算手順と、
上記差分値演算手順にて演算された当該差分値が第二の閾値以上となるか否かを判定する第二の閾値判定手順とを有し、
上記第二の閾値判定手順にて上記差分値が上記第二の閾値以上となると判定されたときに、上記受信信号品質が所定の品質より低下したと判定する送信電力制御方法。
【請求項４】
請求項１記載の送信電力制御方法において、
上記通信装置は、受信信号品質値が所定のパラメータに従って制御される目標受信品質値に近づくよう決定した送信電力制御情報を他の通信装置に送信するものであって、
上記品質判定手順は、上記受信信号品質値が第一の閾値より低下したか否かを判定する第一の閾値判定手順と、
上記目標受信品質値から上記受信品質値を減算して差分値を演算する差分値演算手順と、
上記差分値演算手順にて演算された当該差分値が第二の閾値以上となるか否かを判定する第二の閾値判定手順と、
上記第一の閾値判定手順にて上記受信信号品質値が上記第一の閾値より低下していると判定されたとき、または、上記第二の閾値判定手順にて上記差分値が上記第二の閾値以上であると判定されたときに、上記受信信号品質が所定の品質より低下したと判定する送信電力制御方法。
【請求項５】
請求項１乃至４のいずれか記載の送信電力制御方法において、
上記自律制御手順は、上記所定の特性に従って送信電力を上昇させる自律送信電力制御情報を生成する手順と、
上記品質判定手順により上記受信信号品質が所定の品質より低下したと判定されたときに、上記他の通信装置からの送信電力制御情報に基づいた送信電力制御から上記自律送信電力制御情報に基づいた送信電力制御に切換える制御切換え手順とを有する送信電力制御方法。
【請求項６】
請求項１乃至５のいずれか記載の送信電力制御方法において、
上記自律制御手順は、上記所定の特性に従って送信電力を上昇させる過程で、その送信電力の上昇量が所定量に達したか否かを判定する判定手順と、
該判定手順にてその送信電力の上昇量が所定量に達したと判定されたときに、上記所定の特性に従って送信電力を上昇させることを停止させる自律制御停止手順とを有する送信電力制御方法。
【請求項７】
他の通信装置と信号の無線送受信を行い、受信信号品質に基づいて決定した上記他の通信装置での送信電力制御に用いられるべき送信電力制御情報を送信する通信装置での送信電力を上記他の通信装置からの所定の情報に基づいて制御する送信電力制御装置において、
上記受信信号品質が所定の品質より低下したか否かを判定する品質判定手段と、
該品質判定手段により当該受信信号品質が所定の品質より低下したと判定されたときに、送信電力を、上記他の通信装置からの所定の情報にかかわらず、当該判定時の送信電力値から所定の特性に従って上昇させる自律制御手段とを有する送信電力制御装置。
【請求項８】
請求項７記載の送信電力制御装置において、
上記通信装置は、受信信号品質値が目標受信品質値に近づくように決定した送信電力制御情報を他の通信装置に送信するものであって、
上記品質判定手段は、上記受信信号品質値が第一の閾値より低下したか否かを判定する第一の閾値判定手段を有し、
上記第一の閾値判定手段にて上記受信信号品質値が上記第一の閾値より低下していると判定されたときに、上記受信信号品質が所定の品質より低下したと判定するようにした送信電力制御装置。
【請求項９】
請求項７記載の送信電力制御装において、
上記通信装置は、受信信号品質値が目標受信品質値に近づくように決定した送信電力制御情報を他の通信装置に送信するものであって、
上記品質判定手段は、上記目標受信品質値から上記受信品質値を減算して差分値を演算する差分値演算手段と、
上記差分値演算手段にて演算された当該差分値が第二の閾値以上となるか否かを判定する第二の閾値判定手段とを有し、
上記第二の閾値判定手段にて上記差分値が上記第二の閾値以上となると判定されたときに、上記受信信号品質が所定の品質より低下したと判定するようにした送信電力制御装置。
【請求項１０】
請求項７記載の送信電力制御装置において、
上記通信装置は、受信信号品質値が所定のパラメータに従って制御される目標受信品質値に近づくよう決定した送信電力制御情報を他の通信装置に送信するものであって、
上記品質判定手段は、上記受信信号品質値が第一の閾値より低下したか否かを判定する第一の閾値判定手段と、
上記目標受信品質値から上記受信品質値を減算して差分値を演算する差分値演算手段と、
上記差分値演算手段にて演算された当該差分値が第二の閾値以上となるか否かを判定する第二の閾値判定手段と、
上記第一の閾値判定手段にて上記受信信号品質値が上記第一の閾値より低下していると判定されたとき、または、上記第二の閾値判定手段にて上記差分値が上記第二の閾値以上であると判定されたときに、上記受信信号品質が所定の品質より低下したと判定するようにした送信電力制御装置。
【請求項１１】
請求項７乃至１０のいずれか記載の送信電力制御装置において、
上記自律制御手段は、上記所定の特性に従って送信電力を上昇させる自律送信電力制御情報を生成する手段と、
上記品質判定手段により上記受信信号品質が所定の品質より低下したと判定されたときに、上記他の通信装置からの送信電力制御情報に基づいた送信電力制御から上記自律送信電力情報に基づいた送信電力制御に切換える制御切換え手段とを有する送信電力制御装置。
【請求項１２】
請求項７乃至１１のいずれか記載の送信電力制御装置において、
上記自律制御手段は、上記所定の特性に従って送信電力を上昇させる過程で、その送信電力の上昇量が所定量に達したか否かを判定する判定手段と、
該判定手段にてその送信電力の上昇量が所定量に達したと判定されたときに、上記所定の特性に従って送信電力を上昇させることを停止させる自律制御停止手段とを有する送信電力制御装置。
【請求項１３】
他の通信装置と信号の無線送受信を行い、受信信号品質に基づいて決定した上記他の通信装置での送信電力制御に用いられるべき送信電力制御情報を送信する送信電力制御情報送信手段と、
上記他の通信装置からの所定の情報に基づいて送信電力を制御する制御手段と、
請求項７乃至１２のいずれか記載の送信電力制御装置を有する通信装置。
【請求項１４】
符号多元接続方式の移動通信システムに用いられる移動局となる請求項１３記載の通信装置。
【請求項１５】
移動通信システムにおける基地局と移動局との間で情報データの伝送が開始される前において、基地局から移動局の送信電力制御に用いられるべき送信電力制御情報を送信すると共に基地局と移動局との間で信号を送受信して同期をとるための処理がなされる際に移動局での送信電力を制御する送信電力制御方法において、
基地局からの信号に対する移動局での同期が確立された後に、基地局からの送信電力制御情報に係わらず、送信電力を、初期値から所定の特性に従って上昇させるように制御する自律制御手順を有する送信電力制御方法。
【請求項１６】
請求項１５記載の送信電力制御方法において、
上記自律制御手順は、上記基地局からの送信電力制御情報に基づいた送信電力制御による送信電力の変化より緩やかに変化する特性に従って送信電力を上昇させるように制御する送信電力制御方法。
【請求項１７】
請求項１５または１６記載の送信電力制御方法において、
上記自律制御手順による送信電力の制御が開始された後に、当該自律制御手順による送信電力の制御を停止させるべき所定の条件が満足されたか否かを判定する自律制御停止条件判定手順と、
該自律制御停止条件判定手順によって上記所定の条件が満足されたと判定されたときに、上記自律制御手順による送信電力の制御から上記基地局からの送信電力制御情報に基づいた送信電力の制御に切換える制御切換え手順とを有する送信電力制御方法。
【請求項１８】
請求項１７記載の送信電力制御方法において、
上記自律制御停止条件判定手順は、上記自律制御手順による送信電力の制御が開始されてから所定時間が経過したか否かを判定し、上記自律制御手順による送信電力の制御が開始されてから上記所定時間が経過したとの判定を上記所定の条件が満足されたとの判定とする送信電力制御方法。
【請求項１９】
請求項１７記載の送信電力制御方法において、
上記基地局は、当該基地局での同期が確立される前では、所定の送信電力制御情報を送信し、上記移動局からの信号に基づいて当該基地局での同期が確立された後では、移動局から送信される信号の受信品質に基づいて決められる閉ループ送信電力制御情報を送信するようにし、
上記自律制御停止条件判定手順は、上記基地局から受信される送信電力制御情報が、上記所定の送信電力制御情報から閉ループ送信電力制御情報に変わったか否かを判定する制御情報変更判定手順を有し、
該制御情報変更判定手順にてなされる上記基地局から受信される送信電力制御情報が上記所定の送信電力制御情報から閉ループ送信電力制御情報に変わったとの判定を上記所定の条件が満足されたとの判定とする送信電力制御方法。
【請求項２０】
請求項１９記載の送信電力制御方法において、
上記自律制御停止条件判定手順は、上記自律制御手順による送信電力制御が開始されてから所定時間が経過したか否かを判定する開始タイミング判定手順を有し、
該開始タイミング判定手順にて上記自律制御手順による送信電力制御が開始されてから上記所定時間が経過したと判定されたときに、上記制御情報変更判定手順に従った判定を開始する送信電力制御方法。
【請求項２１】
移動通信システムにおける基地局と移動局との間で情報データの伝送が開始される前において、基地局から移動局の送信電力制御に用いられるべき送信電力制御情報を送信すると共に基地局と移動局との間で信号を送受信して同期をとるための処理がなされる際に移動局での送信電力を制御する送信電力制御方法において、
基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手順を有する送信電力制御方法。
【請求項２２】
請求項２１記載の送信電力制御方法において、
上記緩特性送信電力制御手順による送信電力制御が開始された後に、当該緩特性送信電力制御手順による送信電力の制御を停止させるべき所定の条件が満足されたか否かを判定する緩特性送信電力制御停止判定手順と、
該緩特性送信電力制御停止判定手順によって上記所定の条件が満足されたと判定されたときに、上記緩特性送信電力制御手順による送信電力の制御から上記基地局からの送信電力制御に基づいた送信電力の制御に切換える制御切換え手順とを有する送信電力制御方法。
【請求項２３】
移動通信システムにおける基地局と移動局との間で情報データの伝送が開始される前において、基地局から移動局の送信電力制御に用いられるべき送信電力制御情報を送信すると共に基地局と移動局との間で信号を送受信して同期をとるための処理がなされる際に移動局での送信電力を制御する送信電力制御装置において、
基地局からの信号に対する移動局での同期が確立された後に、基地局からの送信電力制御情報に係わらず、送信電力を、初期値から所定の特性に従って上昇させるように制御する自律制御手段を有する送信電力制御装置。
【請求項２４】
請求項２３記載の送信電力制御装置において、
上記自律制御手段は、上記基地局からの送信電力制御情報に基づいた送信電力制御による送信電力の変化より緩やかに変化する特性に従って送信電力を上昇させるように制御する送信電力制御装置。
【請求項２５】
請求項２３または２４記載の送信電力制御装置において、
上記自律制御手段による送信電力の制御が開始された後に、当該自律制御手段による送信電力の制御を停止させるべき所定の条件が満足されたか否かを判定する自律制御停止条件判定手段と、
該自律制御停止条件判定手段によって上記所定の条件が満足されたと判定されたときに、上記自律制御手段による送信電力の制御から上記基地局からの送信電力制御情報に基づいた送信電力の制御に切換える制御切換え手段とを有する送信電力制御装置。
【請求項２６】
請求項２５記載の送信電力制御装置において、
上記自律制御停止条件判定手段は、上記自律制御手段による送信電力の制御が開始されてから所定時間が経過したか否かを判定するようにし、上記自律制御手段による送信電力の制御が開始されてから上記所定時間が経過したとの判定を上記所定の条件が満足されたとの判定とした送信電力制御装置。
【請求項２７】
請求項２５記載の送信電力制御装置において、
上記基地局は、当該基地局での同期が確立される前では、所定の送信電力制御情報を送信し、上記移動局からの信号に基づいて当該基地局での同期が確立された後では、移動局から送信される信号の受信品質に基づいて決められる閉ループ送信電力制御情報を送信するようにし、
上記自律制御停止条件判定手段は、上記基地局から受信される送信電力制御情報が、上記所定の送信電力制御情報から閉ループ送信電力制御情報に変わったか否かを判定する制御情報変更判定手段を有し、
該制御情報変更判定手段にてなされる上記基地局から受信される送信電力制御情報が上記所定の送信電力制御情報から閉ループ送信電力制御情報に変わったと判定を上記所定の条件が満足されたとの判定とした送信電力制御装置。
【請求項２８】
請求項２７記載の送信電力制御装置において、
上記自律制御停止条件判定手段は、上記自律制御手段による送信電力制御が開始されたから所定時間が経過したか否かを判定する開始タイミング判定手段を有し、
該開始タイミング判定手段にて上記自律制御手段による送信電力制御が開始されてから上記所定時間が経過したと判定されたときに、上記制御情報変更判定手段による判定を開始するようにした送信電力制御装置。
【請求項２９】
移動通信システムにおける基地局と移動局との間で情報データの伝送が開始される前において、基地局から移動局の送信電力制御に用いられるべき送信電力制御情報を送信すると共に基地局と移動局との間で信号を送受信して同期をとるための処理がなされる際に移動局での送信電力を制御する送信電力制御装置において、
基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手段を有する送信電力制御装置。
【請求項３０】
請求項２９記載の送信電力制御装置において、
上記緩特性送信電力制御手段による送信電力制御が開始された後に、当該緩特性送信電力制御手段による送信電力の制御を停止させるべき所定の条件が満足されたか否かを判定する緩特性送信電力制御停止判定手段と、
該緩特性送信電力制御停止判定手段によって上記所定の条件が満足されたと判定されたときに、上記緩特性送信電力制御手段による送信電力の制御から上記基地局からの送信電力制御に基づいた送信電力の制御に切換える制御切換え手段とを有する送信電力制御方法。
【請求項３１】
送信電力制御に用いられるべき送信電力制御情報を送信する基地局に対して情報データの伝送を行う前において、基地局との間で信号を送信して同期をとるための処理がなされる際に送信電力を制御する送信電力制御装置を有する移動局において、
上記送信電力制御装置は、基地局からの信号に対する当該移動局での同期が確立された後に、基地局からの送信電力制御情報に係わらず、送信電力を、初期値から所定の特性に従って上昇させるように制御する自律制御手段を有する移動局。
【請求項３２】
請求項３１記載の移動局において、
上記送信電力制御装置は、更に、上記自律制御手段による送信電力の制御が開始された後に、当該自律制御手段による送信電力の制御を停止させるべき所定の条件が満足されたか否かを判定する自律制御停止条件判定手段と、
該自律制御停止条件判定手段によって上記所定の条件が満足されたと判定されたときに、上記自律制御手段による送信電力の制御から上記基地局からの送信電力制御情報に基づいた送信電力の制御に切換える制御切換え手段とを有する移動局。
【請求項３３】
送信電力制御に用いられるべき送信電力制御情報を送信する基地局に対して情報データの伝送信を行う前において、基地局との間で信号を送信して同期をとるための処理がなされる際に送信電力を制御する送信電力制御装置を有する移動局において、
上記送信電力制御装置は、基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手段を有する移動局。
【請求項３４】
請求項３３記載の移動局において、
上記送信電力制御装置は、更に、上記緩特性送信電力制御手段による送信電力制御が開始された後に、当該緩特性送信電力制御手段による送信電力の制御を停止させるべき所定の条件が満足されたか否かを判定する緩特性送信電力制御停止判定手段と、
該緩特性送信電力制御停止判定手段によって上記所定の条件が満足されたと判定されたときに、上記緩特性送信電力制御手段による送信電力の制御から上記基地局からの送信電力制御に基づいた送信電力の制御に切換える制御切換え手段とを有する移動局。
【発明の詳細な説明】
【技術分野】
【０００１】
本発明は、移動通信システムにおける送信電力制御装置及び方法並びに移動局及び通信装置に係り、詳しくは、移動通信システムにおける複数の基地局と無線通信を行う移動局の送信電力制御を行う送信電力制御装置及び方法並びに移動局及び通信装置、あるいは、他の通信装置と信号の無線送受信を行い、受信信号品質に基づいて決定した上記他の通信装置での送信電力制御に用いられるべき送信電力制御情報を送信する通信装置での送信電力を制御する送信電力制御方法及び装置に関する。
【背景技術】
【０００２】
従来、例えば、特開平9-312609には、ＣＤＭＡ方式の移動通信システムにおいて、移動局が複数の基地局と無線通信を行ってソフトハンドオーバを行う際の送信電力制御方法が開示されている。
【０００３】
この送信電力制御方法では、ソフトハンドオーバに際して、移動局からの信号を受信する２つの基地局のそれぞれは、受信信号に対して希望波対干渉波及び雑音電力比（以下、受信ＳＩＲ（SIR：Signal to Interference plus noise power Ratio）という）を測定し、その受信ＳＩＲが目標ＳＩＲに近づくように送信電力制御ビット（電力増加または電力減少を表す）を生成する。そして、その生成された送信電力制御ビットが各基地局から移動局に伝送される。移動局は、当該２つの基地局のそれぞれからの信号に対する受信ＳＩＲを測定し、その各基地局の受信ＳＩＲを対応する基地局からの送信電力制御ビットの信頼度として考慮しつつ、各基地局からの送信電力制御ビットに基づいて送信電力制御（電力増加、電力減少または電力維持）を行う。
【０００４】
具体的には、一方の基地局の受信ＳＩＲが所定の基準値以下である場合には、その基地局からの送信電力制御ビットは信頼度が低いとして無視され、他方の基地局からの送信電力ビットに基づいて送信電力制御（電力増加または電力減少）がなされる。また、双方の基地局の受信ＳＩＲが所定の基準値以下である場合には、双方の基地局からの送信電力制御ビットの信頼度が低いものとして、それらの送信電力制御ビットにかかわらず、現在の送信電力が維持される。更に、双方の基地局の受信ＳＩＲが所定の基準値より大きくなる場合、送信電力がより小さくなるように選択された送信電力制御ビット（電力減少を表す）に基づいて送信電力制御がなされる。
【０００５】
このような移動局での送信電力制御によれば、各基地局から受信される複数の送信電力制御ビットのうちより信頼性の高い送信電力制御ビットに基づいてより送信電力が小さくなるように移動局での送信電力制御がなされるので、安定した通信品質を維持しつつ無駄のない送信電力制御が可能となる。
【０００６】
なお、移動局は、複数の基地局について上記のように測定した各受信ＳＩＲを最大比合成し、その合成にて得られたＳＩＲに基づいて送信電力制御ビットを生成する。そして、その生成された送信電力制御ビットが移動局から各基地局に伝送され、各基地局は、移動局から受信される送信電力制御ビットに基づいて送信電力制御を行う。
【発明の開示】
【発明が解決しようとする課題】
【０００７】
上述した移動通信システムにおける移動局での送信電力制御では、各基地局についての受信ＳＩＲを対応する基地局からの送信電力制御ビットの信頼度として扱っている。しかし、その受信ＳＩＲは、移動局での信号受信品質（上記合成ＳＩＲ）があるレベルになるように各基地局にて送信電力制御がなされつつ送信された信号に基づいて当該移動局にて測定されるため、常に移動局と各基地局との間の電波伝送路の状態（フェージングの状態、距離など）を忠実に反映したものになっているとは限らない。ソフトハンドオーバに際しては移動する移動局と各基地局との間の電波伝送路の状態（特に、距離）が時々刻々と変化するため、そのような電波伝送路の状態をより忠実に考慮しつつ移動局の送信電力制御を行うことが所望の通信品質を満たしながら移動局の送信電力を低減させるうえで好ましい。
【０００８】
また、従来、ＣＤＭＡ方式の移動通信システムにおいて相互に信号の無線送受信を行う移動局と基地局のそれぞれは、次のようにして送信電力制御を行っている。
【０００９】
移動局は、基地局からの受信信号に対する希望波対干渉波及び雑音電力比（以下、受信ＳＩＲ（Signal to Interference plus noise power ratio）を受信信号品質として測定し、その受信ＳＩＲと目標ＳＩＲとの差に基づいて送信電力制御ビット（電力増加または送信電力減少を表す）を生成する。そして、移動局は、その送信電力制御ビット（送信電力制御情報）を基地局に送信する。
【００１０】
基地局は、移動局からの送信電力制御ビットに基づいて送信電力を制御する一方、移動局からの受信信号に対する受信ＳＩＲを測定し、その受信ＳＩＲと目標ＳＩＲとの差に基づいて送信電力制御ビットを生成する。そして、基地局は、その送信電力制御ビットを移動局に送信する。
【００１１】
移動局は、上述したように基地局に送信すべき送信電力制御ビットを生成すると共に、基地局からの送信電力制御ビットに基づいて自局における送信電力を制御する。
【００１２】
上記のような移動局及び基地局での送信電力制御により、移動局では、基地局での受信ＳＩＲが目標ＳＩＲに近づくように送信電力の制御がなされる。また、基地局でも、同様に、移動局での受信ＳＩＲが目標ＳＩＲに近づくように送信電力制御がなされる。このような送信電力制御により、移動局と基地局との間の電波伝送路の状態（距離、フェージングの状態等）が変動しても、移動局及び基地局は、受信信号品質が安定した状態で無駄のない送信電力にて信号の送受信を行うことが可能となる。
【００１３】
移動局及び基地局において上述した送信電力制御が正常になされている場合、移動局及び基地局では、例えば、図２０の正常で示す領域のように、受信ＳＩＲが目標ＳＩＲを挟む比較的狭い範囲を推移するようになる。しかし、上述したような送信電力制御を行っていても、例えば、図２０の異常で示す領域のように、受信ＳＩＲが目標ＳＩＲに近づくことなく順次低下してしまうことがある。このような現象は、次のような理由に基づくものであると考えられる。
【００１４】
移動局での受信ＳＩＲが上記のように低下してしまう場合を例にすると、これは、移動局にて生成された送信電力制御ビットに基づいた基地局での送信電力制御が正常になされていないことである。その理由の一つとして、移動局から上りリンクで伝送される送信電力制御ビットの基地局での受信品質が十分ではなく、移動局で生成された送信電力制御ビットの値と異なった値にて基地局での送信電力制御がなされていることが考えられる。このような状況は、移動局から送信電力制御ビットを送信する際の送信電力制御がその送信電力制御ビットの基地局での受信品質を所定レベルに維持できるように必ずしもなされていないことによるものである。
【００１５】
即ち、上記のような状況では、移動局での受信ＳＩＲの低下に起因して基地局からの送信電力制御ビットの移動局での受信品質が低下して当該移動局での送信電力制御が正常に行なわれなくなり、その正常でない送信電力制御に起因して移動局からの送信電力制御ビットの基地局での受信品質が低下してしまう。そして、更に、その基地局での送信電力制御ビットの受信品質の低下により基地局での送信電力制御が正常に行なわれなくなって、移動局での受信ＳＩＲが益々低下してしまう。このような状況が続くと、移動局と基地局との間の通信が切断される事態に至ってしまうおそれがある。
【００１６】
また、従来、ＣＤＭＡ方式の移動通信システムにおいて、基地局と移動局との間で情報データの伝送を開始する前に、基地局と移動局は、共通制御チャネルを用いて種々の情報（使用する固有拡散符号に関する情報、個別チャネルの信号フォーマットに関する情報等）の送受信を行い、その後、上記各種の情報に基づいて決められた個別チャネルを用いて所定フォーマットによる信号の送受信を行って、双方の局での信号同期をとるようにしている。その同期をとるための処理は、例えば、図２１に示す手順に従って行われる。
【００１７】
図２１において、基地局２００が所定フォーマットによる信号の送信（下り送信）を開始する（(1)）。この下り送信される信号は、所定のパターンとなる送信電力制御ビット（電力増加または電力減少を表す送信電力制御情報）が含まれる。移動局１００は、受信される基地局２００からの信号の同期引き込み処理を行う（(2)）。この同期引き込みの処理により同期が確立（下り同期確立）したことが判定されると（(3)）、移動局１００は、受信される上記所定パターンの送信電力制御ビットに従って送信電力制御を行いつつ所定フォーマットによる信号の送信（上り送信）を開始する（(4)）。
【００１８】
基地局２００は、受信される移動局１００からの信号の同期引き込み処理を行う（(5)）。この同期引き込み処理により、当該基地局２００での同期が確立される（上り同期確立）（(6)）。基地局２００が信号の送信を開始（(1)）してから当該基地局２００での上り同期確立（(6)）がなされるまで、有限の時間を要する。
【００１９】
上述したような同期をとるための処理の過程で、移動局１００の送信電力制御は、例えば、図２２に示すようになされる。
【００２０】
基地局２００は、当初、移動局１００からの信号を受信していない状態で、下り送信を開始しなければならないので（図２１の(1)参照）、例えば、常に電力増加を表すパターン（例えば、全て「１」のパターン）の送信電力制御ビットを当該信号と共に送信する。移動局１００は、下り同期確立（図２１における(3)）の判定を行った後に、図２２に示すように、上り送信開始（図２１における(4)）の時刻ｔ1から、送信電力を上記のような送信電力制御ビット（1,1,1,1,…）に従って、例えば、伝搬損失等に基づいて決められた初期値Ｐ0から順次上昇させる。
【００２１】
上記送信電力制御ビットに従った送信電力制御周期は、上記移動局１００と基地局２００にて同期確立がなされるまでに要する時間より非常に短い。そのため、上記送信電力制御ビットに従った送信電力制御により、送信電力値が上昇して最大値Ｐmaxに達すると、送信電力がその最大値Ｐmaxに維持される。
【００２２】
このようにして移動局１００が最大値Ｐmaxとなるように送信電力制御を行いつつ信号を送信する過程で、その信号の基地局２００での同期引き込みにより上り同期が確立すると（時刻ｔ2）、それ以後、基地局２００は、移動局１００からの信号に対する希望波対干渉波及び雑音電力比（以下、受信ＳＩＲ（Signal to Interference plus noise power ratio）という）を受信信号品質として測定し、その受信ＳＩＲと別に定められた目標ＳＩＲとの差に基づいて送信電力制御ビット（電力増加または電力減少を表す）を生成する。そして、基地局２００は、そのように生成された送信電力制御ビットを移動局１００に送信（下り送信）する。
【００２３】
上記のように基地局２００での上り同期が確立した時点（時刻ｔ2）では、移動局１００は最大値Ｐmaxとなるように送信電力制御を行っているので、当該移動局１００からの受信ＳＩＲは目標ＳＩＲより非常に大きな値となっており（過剰品質）、その上り同期が確立した直後においては、通常、連続的に電力減少を表す送信電力制御ビット（例えば、「０」）が生成される。
【００２４】
上記のように基地局２００での上り同期確立がなされた以後（時刻ｔ2以後）、移動局１００は、上記のようにして基地局２００にて生成される送信電力制御ビットに基づいて送信電力制御（閉ループ制御）を行いつつ信号の送信を行う（上り送信）。その結果、移動局１００の送信電力は、基地局２００での受信ＳＩＲが目標ＳＩＲに維持され得る適正な値に制御される。このような状態において、所定のタイミングにて、移動局１００は、情報データを含めた信号を開始する。
【００２５】
上記のような基地局２００と移動局１００との間で情報データの伝送を開始する前における移動局１００での送信電力制御方法では、基地局２００からの信号の移動局１００での下り同期が確立した後（図２２における時刻ｔ1後）において、移動局１００は、基地局２００からの連続的に電力増加を表す送信電力制御ビット（1,1,1,1,…）に基づいて送信電力を急速に上昇させるように制御しつつ信号の送信を行う。このような送信電力制御により、基地局２００における移動局１００からの信号の受信品質が急速に向上する。このため、基地局２００での下り同期確立をより早期に実現することができるようになる。
【００２６】
しかし、基地局２００と移動局１００との信号の送受信において、移動局１００での送信電力は、基地局２００での受信信号品質（例えば、受信ＳＩＲ）が目標品質（例えば、目標ＳＩＲ）に維持されるものであれば十分である（図２２における時刻ｔ2以降の送信電力値参照）。このように基地局２００での受信信号品質が目標品質に維持されるように移動局１００での送信電力を制御すれば足りるにもかかわらず、前述したように、移動局１００での送信電力を最大値Ｐmaxに制御したり、その最大値Ｐmaxに近い値に制御すると、基地局２００と移動局１００との間で情報データの伝送が開始される直前において移動局１００の送信電力が一時的に過剰な値になり、上り回線における無駄な電力消費がなされると共に、基地局２００にて無線リソースが無駄に費やされてしまう。
【００２７】
そこで、本発明の第一の課題は、移動局が複数の基地局と無線通信を行うに際して、移動局と各基地局との間の電波伝送路の状態をより忠実に考慮して移動局の送信電力制御を可能にする送信電力制御装置を提供することである。そして、本発明の第二の課題は、そのような送信電力制御装置にて送信電力制御のなされる移動局を提供することである。
【００２８】
また、本発明の第三の課題は、他の通信装置と信号の無線送受信を行い、受信信号品質に基づいて決定した上記他の通信装置での送信電力制御に用いられるべき送信電力制御情報を送信する通信装置において上記受信信号品質が連続して所定の品質より低下することを防止できるようにした送信電力制御方法及び装置を提供することである。本発明の第四の課題は、そのような送信電力制御装置を備えた通信装置を提供することである。
【００２９】
更に、本発明の第五の課題は、移動局と基地局との間で情報データの伝送が開始される前に、できるだけ早期に同期確立がなされると共に、より無駄のない移動局での送信電力となるように制御が可能な送信電力制御方法及び装置を提供することである。本発明の第六の課題は、そのような送信電力制御方法に従って送信電力の制御がなされる移動局を提供することである。
【課題を解決するための手段】
【００３０】
上記第一の課題を解決するため、本発明の一特徴に従えば、移動通信システムにおいて移動局と無線接続される複数の基地局のそれぞれが受信信号品質に基づいて決定した送信電力制御情報を移動局に送信した際に移動局にて得られる各基地局からの送信電力制御情報に基づいて移動局の送信電力を制御する送信電力制御装置において、各基地局から固定的な送信電力にて送信される所定の信号に基づいて移動局と各基地局との間の電波伝送路での伝搬損失を演算する伝搬損失演算手段と、移動局にて得られる各基地局からの送信電力制御情報と、上記伝搬損失演算手段にて演算された各基地局と移動局との間の電波伝送路の伝搬損失とに基づいて移動局の送信電力制御に用いられるべき送信電力制御情報を決定する送信電力制御情報決定手段とを有するように構成される。
【００３１】
このような送信電力制御装置では、移動局と各基地局との間の電波伝送路の伝搬損失を演算する際の基礎となる各基地局からの所定の信号が固定的な送信電力にて送信されるので、その演算される伝搬損失は、対応する移動局と基地局との間の電波伝送路の状態（距離、フェージング状態など）をより忠実に表す。そして、このような各基地局と移動局との間の電波伝送路の伝搬損失と、移動局にて得られる各基地局からの送信電力制御情報とに基づいて移動局の送信電力制御に用いられるべき送信電力制御情報が決定される。
【００３２】
送信電力制御情報を決定する際に、各基地局と移動局との間の電波伝送路の状態を、各状態に応じた重みを付けて考慮するという観点から、本発明の一特徴に従えば、上記送信電力制御装置において、上記送信電力制御情報決定手段は、移動局との間の電波伝送路の伝搬損失がより小さい基地局からの送信電力制御情報に対する重みがより大きくなるように、移動局にて得られる各基地局からの送信電力制御情報に対して重み付けを行って重み補正制御情報を生成する重み補正手段と、該重み補正手段にて得られた各基地局からの送信電力制御情報に対応した重み付け補正情報を合成して合成送信電力制御情報を生成する合成手段とを有し、該合成手段にて得られた合成送信電力制御情報に基づいて移動局の送信電力制御に用いられるべき送信電力制御情報を決定するように構成することができる。
【００３３】
上記各基地局から送信される送信電力制御情報は、電力増加の制御状態を表す第一の値及び電力減少の制御状態を表す第二の値を取り得る情報であると共に、移動局が各基地局からの送信電力制御情報を軟判定値として取得する場合、上記送信電力制御情報決定手段は、上記合成手段にて得られた合成送信電力制御情報の値を所定の閾値を用いて硬判定する硬判定手段を有し、その硬判定結果に基づいて移動局の送信電力制御に用いられるべき送信電力制御情報を決定するように構成することができる。
【００３４】
また、できるだけ無駄のない送信電力制御が可能となるという観点から、本発明の一特徴に従えば、上記送信電力制御装置において、上記硬判定手段にて用いられる上記所定の閾値は、各基地局から送信される送信電力制御情報が取り得る第一の値と第二の値との中間値より所定量だけ第一の値寄りの値となるように構成することができる。
【００３５】
このような送信電力制御装置では、上記所定の閾値が所定量だけ電力増加の制御状態を表す第一の値寄りになっているので、合成送信電力制御情報の値は、その閾値を用いた硬判定により、電力増加の制御状態でないと判定され易くなる。その結果、より低電力での送信電力制御が可能となる。
【００３６】
上記各基地局から送信される送信電力制御情報は、電力増加の制御状態を表す第一の値及び電力減少の制御状態を表す第二の値を取り得る情報であると共に、移動局が各基地局からの送信電力制御情報を軟判定値として取得する場合、より細かい送信電力制御が可能となるという観点から、上記送信電力制御情報決定手段は、上記合成手段にて得られた合成送信電力情報の値を第一の閾値を用いて硬判定する第一の硬判定手段と、上記合成送信電力制御情報の値を上記第一の閾値と異なる第二の閾値を用いて硬判定する第二の硬判定手段と、上記第一の硬判定手段での判定結果及び上記第二の硬判定手段での判定結果に基づいて、電力増加の制御状態を表す第一の制御情報、電力減少の制御状態を表す第二の制御情報及び電力維持の制御状態を表す第三の制御情報のいずれかを生成する制御情報生成手段とを有し、該制御情報生成手段にて生成された制御情報を移動局の送信電力制御に用いられるべき送信電力制御情報として決定するように構成することができる。
【００３７】
このような送信電力制御装置では、合成送信電力制御情報の値は、第一及び第二の閾値の双方より大きくなる場合、その双方より小さくなる場合、第一の閾値と第二の閾値の間の値となる場合がある。それらの場合を上記第一の制御状態、第二の制御状態及び第三の制御状態に対応付けることができる。
【００３８】
移動局との間の電波伝送路の状態が特に良好でない基地局からの送信電力制御情報を移動局の送信電力制御に用いるべき送信電力制御情報を決定する際に考慮しないようにできるという観点から、本発明の一特徴に従えば、上記送信電力制御装置において、上記送信電力制御情報決定手段は、移動局にて得られる各基地局からの送信電力制御情報から、上記伝搬損失演算手段にて演算された移動局との間の電波伝送路の伝搬損失が最小となる基地局からの送信電力制御情報を選択する選択手段を有し、該選択手段にて選択された送信電力制御情報に基づいて移動局の送信電力制御に用いられるべき送信電力制御情報を決定するように構成することができる。
【００３９】
また、無駄のない送信電力制御が可能となるという観点から、本発明の一特徴に従えば、上記送信電力制御装置において、上記送信電力制御情報決定手段は、移動局との間の電波伝送路の伝搬損失がより小さい基地局からの送信電力制御情報に対する重みがより大きくなるように、移動局にて得られる各基地局からの送信電力制御情報に対して重み付けを行って重み補正制御情報を生成する重み補正手段と、重み補正手段にて得られた各基地局からの送信電力制御情報に対応した該重み補正制御情報のうちから電力減少の制御状態を表す送信電力制御情報により近い補正情報が優先されるように決められた重み補正制御情報に基づいて制御情報を生成する制御情報生成手段とを有し、該制御情報生成手段にて生成された制御情報を移動局の送信電力制御に用いられるべき送信電力制御情報として決定するように構成することができる。
【００４０】
また、上記各基地局から送信される送信電力制御情報は、電力増加の制御状態を表す第一の値及び電力減少の制御状態を表す第二の値を取り得る情報であると共に、移動局が各基地局からの送信電力制御情報を軟判定値として取得する場合、上記制御情報生成手段は、上記重み補正手段にて得られた各基地局からの送信電力制御情報に対応した重み補正制御情報の値を所定の閾値を用いて硬判定する硬判定手段と、各基地局からの送信電力制御情報に対応した硬判定結果のいずれかを電力減少の制御状態を表す硬判定結果が優先されるように選択する選択手段とを有し、該選択手段にて選択された硬判定結果に基づいて制御情報を生成するように構成することができる。
【００４１】
上述したように、移動局との間の電波伝送路の良好な基地局からの送信電力制御情報を優先的に考慮すると共に、無駄のない送信電力を可能にするという観点から、本発明の一特徴に従えば、上記送信電力制御装置において、上記送信電力制御決定手段は、上記伝搬損失演算手段にて演算された各伝搬損失が所定の伝搬損失より小さいか否かを判定する伝搬損失判定手段と、該伝搬損失判定手段にて上記所定の伝搬損失より小さいと判定された伝搬損失が１つである場合、その判定された伝搬損失に対応した基地局からの送信電力制御情報に基づいて制御情報を生成し、上記伝搬損失判定手段にて上記所定の伝搬損失より小さいと判定された伝搬損失が複数となる場合、その複数の伝搬損失に対応した各基地局からの送信電力制御情報のうちから電力減少の制御状態を表す送信電力制御情報により近い送信電力制御情報が優先されるように決められた送信電力制御情報に基づいて制御情報を生成し、更に、上記伝搬損失判定手段にて全ての伝搬損失が上記所定の伝搬損失より小さくないと判定された場合、各基地局からの送信電力制御情報のうちから電力減少の制御状態を表す送信電力制御情報により近い送信電力制御情報が優先されるように決められた送信電力制御情報に基づいて制御情報を生成する制御情報生成手段とを有し、該制御情報生成手段にて生成された制御情報を移動局の送信電力制御に用いられるべき送信電力制御情報として決定するように構成することができる。
【００４２】
上記第一の課題を解決するため、本発明の一特徴に従えば、移動通信システムにおいて移動局と無線接続される複数の基地局のそれぞれが受信信号品質に基づいて決定した送信電力制御情報を移動局に送信した際に移動局にて得られる各基地局からの送信電力制御情報に基づいて移動局の送信電力を制御する送信電力制御装置において、各基地局から固定的な送信電力にて送信される所定の信号に基づいて移動局と各基地局との間の電波伝送路での伝搬損失を演算する伝搬損失演算手段と、移動局でのフェージングの状態を測定するフェージング測定手段と、該フェージング測定手段にて測定された移動局でのフェージングの状態が所定の状態より良好であるか否かを判定するフェージング状態判定手段と、該フェージング状態判定手段にて移動局でのフェージングの状態が所定の状態より良好であると判定されたときに第一の送信電力制御情報決定手段を有効にし、該フェージング状態判定手段にて移動局でのフェージングの状態が所定の状態より良好でないと判定されたときに第二の送信電力制御情報決定手段を有効にする切換え制御手段とを有し、上記第一の送信電力制御情報決定手段は、移動局との間の電波伝送路の伝搬損失がより小さい基地局からの送信電力制御情報に対する重みがより大きくなるように、移動局にて得られる各基地局からの送信電力制御情報に対して重み付けを行って重み補正制御情報を生成する重み補正手段と、該重み補正手段にて得られた各基地局からの送信電力制御情報に対応した該重み補正制御情報を合成して合成送信電力制御情報を生成する合成手段とを有し、該合成手段にて得られた合成送信電力制御情報に基づいて移動局の送信電力制御に用いられるべき送信電力制御情報を決定するようにし、上記第二の送信電力制御情報決定手段は、移動局にて得られる各基地局からの送信電力制御情報から、上記伝搬損失演算手段にて演算された移動局との間の電波伝送路の伝搬損失が最小となる基地局からの送信電力制御情報を選択する選択手段を有し、該選択手段にて選択された送信電力制御情報に基づいて移動局での送信電力制御に用いられるべき送信電力制御情報を決定するように構成される。
【００４３】
このような送信電力制御装置では、移動局でのフェージングの状態が所定の状態より良好な場合、各基地局と移動局との間の電波伝送路の状態をより忠実に表す伝搬損失と、移動局にて得られる各基地局からの送信電力制御情報とに基づいて移動局の送信電力制御に用いられるべき送信電力制御情報が決定される。一方、移動局でのフェージングの状態が所定の状態より良好でない場合、移動局との間の電波伝送路での伝搬損失が最小となる基地局からの送信電力制御情報に基づいて移動局での送信電力制御に用いられるべき送信電力制御情報が決定されるので、移動局との間の電波伝送路の状態が特に良好でない基地局からの送信電力制御情報は、移動局の送信電力制御に用いるべき送信電力制御情報を決定する際に考慮されなくなる。
【００４４】
更に、上記第一の課題を解決するため、本発明の一特徴に従えば、移動通信システムにおいて移動局と無線接続される複数の基地局のそれぞれが受信信号品質に基づいて決定した送信電力制御情報を移動局に送信した際に移動局にて得られる各基地局からの送信電力制御情報に基づいて移動局の送信電力を制御する送信電力制御装置において、各基地局から固定的な送信電力にて送信される所定の信号に基づいて移動局が無線接続すべき基地局を決定するために用いられる移動局と各基地局との間の伝送路品質を測定する伝送路品質測定手段と、移動局にて得られる各基地局からの送信電力制御情報と、上記伝送路品質測定手段にて得られた移動局と各基地局との間の伝送路品質とに基づいて移動局の送信電力制御に用いられるべき送信電力制御情報を決定する送信電力制御情報決定手段とを有するように構成される。
【００４５】
このような送信電力制御装置では、各基地局と移動局との間の電波伝送路の状態をより忠実に表す伝送路品質と、移動局にて得られる各基地局からの送信電力制御情報とに基づいて移動局の送信電力制御に用いられるべき送信電力制御情報が決定される。更に、上記のように測定される移動局と各基地局との間の伝送路品質は、もともと移動局が無線接続すべき基地局を決定するために用いられるものであり、当該送信電力制御装置の構成を簡略化することが可能となる。
【００４６】
上記各基地局から固定的な送信電力にて送信される所定の信号に基づいて測定される伝送路品質は、移動局と各基地局間の距離、フェージングの状態などを表し得るものであって、移動局が無線接続すべき基地局を決定するために用いられるものであれば特に限定されず、例えば、伝搬損失、移動局での該所定の信号の受信レベル及び該所定の信号に基づいて測定される希望波対干渉波及び雑音電力比（受信ＳＩＲ（SIR：Signal to Interference plus noise power Ratio））のいずれであってもよい。
【００４７】
また、上記第一の課題を解決するため、本発明の一特徴に従えば、移動通信システムにおいて移動局と無線接続される複数の基地局のそれぞれが受信信号品質に基づいて決定した電力増加の制御状態を表す第一の値及び電力減少の制御状態を表す第二の値を取り得る情報となる送信電力制御情報を移動局に送信した際に移動局にて得られる各基地局からの送信電力制御情報の軟判定値に基づいて移動局の送信電力を制御する送信電力制御装置において、各基地局から固定的な送信電力にて送信される所定の信号に基づいて移動局と各基地局との間の伝送路品質を測定する伝送路品質測定手段と、移動局にて得られる各基地局からの送信電力制御情報の軟判定値と、上記伝送路品質測定手段にて測定された各基地局と移動局との間の伝送路品質に基づいて移動局の送信電力制御に用いられるべき送信電力制御情報を決定する送信電力制御情報決定手段とを有し、該送信電力制御手段は、移動局との間の伝送路品質がより良好な基地局からの送信電力制御情報に対する重みがより大きくなるように、移動局にて得られる各基地局からの送信電力制御情報の軟判定値に対して重み付けを行って重み補正制御情報を生成する重み補正手段と、該重み補正手段にて得られた各基地局からの送信電力制御情報に対応した該重み補正制御情報を合成して合成送信電力制御情報を生成する合成手段と、該合成手段にて得られた合成送信電力制御情報の値を、各基地局から送信される送信電力制御情報が取り得る第一の値と第二の値との中間値より所定量だけ第一の値寄りの値となる閾値を用いて硬判定する硬判定手段とを有し、その硬判定結果に基づいて移動局の送信電力制御に用いられるべき送信電力制御情報を決定するように構成される。
【００４８】
上記各基地局から固定的な送信電力にて送信される所定の信号に基づいて測定される移動局と各基地局との間の伝送路品質は、移動局と各基地局間の距離、フェージングの状態などを表し得るものであれば特に限定されず、例えば、伝搬損失、移動局での該所定の信号の受信レベル及び該所定の信号に基づいて測定される希望波対干渉波及び雑音電力比（受信ＳＩＲ（SIR：Signal to Interference plus noise power Ratio））のいずれであってもよい。
【００４９】
更に、上記第一の課題を解決するため、本発明の一特徴に従えば、移動通信システムにおいて移動局と無線接続される複数の基地局のそれぞれが受信信号品質に基づいて決定した電力増加の制御状態を表す第一の値及び電力減少の制御状態を表す第二の値を取り得る情報となる送信電力制御情報を移動局に送信した際に移動局にて得られる各基地局からの送信電力制御情報の軟判定値に基づいて移動局の送信電力を制御する送信電力制御装置において、
各基地局から固定的な送信電力にて送信される所定の信号に基づいて移動局と各基地局との間の伝送路品質を測定する伝送路品質測定手段と、移動局にて得られる各基地局からの送信電力制御情報の軟判定値と、上記伝送路品質測定手段にて測定された各基地局と移動局との間の伝送路品質に基づいて移動局の送信電力制御に用いられるべき送信電力制御情報を決定する送信電力制御情報決定手段とを有し、該送信電力制御手段は、移動局との間の伝送路品質がより良好な基地局からの送信電力制御情報に対する重みがより大きくなるように、移動局にて得られる各基地局からの送信電力制御情報の軟判定値に対して重み付けを行って重み補正制御情報を生成する重み補正手段と、該重み補正手段にて得られた各基地局からの送信電力制御情報に対応した該重み補正制御情報を合成して合成送信電力制御情報を生成する合成手段と、該合成手段にて得られた合成送信電力制御情報の値を第一の閾値を用いて硬判定する第一の硬判定手段と、上記合成送信制御情報の値を上記第一の閾値と異なる第二の閾値を用いて硬判定する第二の硬判定手段と、上記第一の硬判定手段での判定結果及び第二の硬判定手段での判定手段に基づいて、電力増加の制御情報を表す第一の制御情報、電力減少の制御状態を表す第二の制御情報及び電力維持の制御状態を表す第三の制御情報のいずれかを生成する制御情報生成手段とを有し、該制御情報生成手段にて生成された制御情報を移動局の送信電力制御に用いられるべき送信電力制御情報として決定するように構成される。
【００５０】
また、上記第一の課題を解決するため、本発明の一特徴に従えば、移動通信システムにおいて移動局と無線接続される複数の基地局のそれぞれが受信信号品質に基づいて決定した送信電力制御情報を移動局に送信した際に移動局にて得られる各基地局からの送信電力制御情報に基づいて移動局の送信電力を制御する送信電力制御装置において、各基地局から固定的な送信電力にて送信される所定の信号に基づいて移動局と各基地局との間の伝送路品質を測定する伝送路品質測定手段と、移動局でのフェージングの状態を測定するフェージング測定手段と、該フェージング測定手段にて測定された移動局でのフェージングの状態が所定の状態より良好であるか否かを判定するフェージング状態判定手段と、該フェージング状態判定手段にて移動局でのフェージングの状態が所定の状態より良好であると判定されたときに第一の送信電力制御情報決定手段を有効にし、該フェージング状態判定手段にて移動局でのフェージングの状態が所定の状態より良好でないと判定されたときに第二の送信電力制御情報決定手段を有効にする切換え制御手段とを有し、上記第一の送信電力制御情報決定手段は、移動局との間の伝送路品質がより良好な基地局からの送信電力制御情報に対する重みがより大きくなるように、移動局にて得られる各基地局からの送信電力制御情報に対して重み付けを行って重み補正制御情報を生成する重み補正手段と、該重み補正手段にて得られた各基地局からの送信電力制御情報に対応した該重み補正制御情報を合成して合成送信電力制御情報を生成する合成手段とを有し、該合成手段にて得られた合成送信電力制御情報に基づいて移動局の送信電力制御に用いられるべき送信電力制御情報を決定するようにし、上記第二の送信電力制御情報決定手段は、移動局にて得られる各基地局からの送信電力制御情報から、上記伝送路品質測定手段にて測定された移動局との間の伝送路品質が最良となる基地局からの送信電力制御情報を選択する選択手段を有し、該選択手段にて選択された送信電力制御情報に基づいて移動局での送信電力制御に用いられるべき送信電力制御情報を決定するように構成される。
【００５１】
上記第二の課題を解決するため、本発明の一特徴に従えば、移動通信システムにおいて複数の基地局と無線接続され得る移動局において、複数の基地局からの信号を合成する信号合成手段と、該信号合成手段にて得られた合成信号から下り伝送情報を復元する情報復元手段と、上記信号合成手段にて得られた合成信号の受信品質を演算する受信品質演算手段と、該受信品質演算手段にて演算された受信品質に基づいて各基地局の送信電力を制御するための送信電力制御情報を生成する送信電力制御情報生成手段と、該送信電力制御情報生成手段にて生成された送信電力制御情報を各基地局に送信する送信電力制御情報送信手段と、前述した送信電力制御装置のいずれかとを有するように構成される。
【００５２】
上記第三の課題を解決するため、本発明の一特徴に従えば、他の通信装置と信号の無線送受信を行い、受信信号品質に基づいて決定した上記他の通信装置での送信電力制御に用いられるべき送信電力制御情報を送信する通信装置での送信電力を上記他の通信装置からの所定の情報に基づいて制御する送信電力制御方法において、上記受信信号品質が所定の品質より低下したか否かを判定する品質判定手順と、該品質判定手順により当該受信信号品質が所定の品質より低下したと判定されたときに、送信電力を、上記他の通信装置からの所定の情報にかかわらず、当該判定時の送信電力値から所定の特性に従って上昇させる自律制御手順とを有するように構成される。
【００５３】
このような送信電力制御方法では、通信装置での受信信号品質が所定の品質より低下すると、当該通信装置において送信電力が、上記他の通信装置からの所定の情報にかかわらず、所定の特性に従って自律的に上昇させられる。
【００５４】
このように当該通信装置での送信電力が上昇されることにより、受信信号品質に基づいて決定される他の通信装置での送信電力制御に用いられるべき送信電力制御情報を送信した際に、当該送信電力制御情報の上記他の通信装置での受信品質が改善される。その結果、上記他の通信装置は、その品質の改善された送信電力制御情報に基づいて送信電力制御を行えるようになる。
【００５５】
上記受信信号品質は、他の通信装置から送信制御がなされつつ送信される信号の当該通信装置での受信品質を表すものであれば、どのような情報によっても表すことができ、例えば、その信号の受信レベルであっても、その信号と干渉波として作用する他の信号や雑音との比を表すＳＩＲ（Signal to Interference plus noise power ratio）であってもよい。
【００５６】
また、上記送信電力を上昇させるための所定の特性は、上記判定時の送信電力値より低下しなければ、どのような特性であってもよく、ある傾きをもって徐々に上昇する特性であっても、ある値までステップ状に上昇させた後に、その値を維持するような特性であってもよい。更に、徐々に上昇させる過程で一時的に電力値が低下しても、その低下後の電力値が上記判定時の電力値より小さくならなければよい。
【００５７】
当該通信装置の送信電力制御に用いられる上記他の通信装置からの所定の情報は、上記他の通信装置から当該通信装置の送信電力制御に用いられる情報として伝送される情報であれば特に限定されず、上記他の通信装置にて測定された当該通信装置からの信号の受信品質に基づいて作成した送信電力制御情報であっても、上記他の通信装置において測定された当該通信装置からの信号の受信品質に関する情報であっても、更に、他の情報であってもよい。
【００５８】
上記通信装置が、受信信号品質値が目標受信品質値に近づくように決定した送信電力制御情報を他の通信装置に送信するものである場合、容易に受信品質の状態を判定できるという観点から、上記品質判定手順は、上記受信信号品質値が第一の閾値より低下したか否かを判定する第一の閾値判定手順を有し、上記第一の閾値判定手順にて上記受信信号品質値が上記第一の閾値より低下していると判定されたときに、上記受信信号品質が所定の品質より低下したと判定するように構成することができる。
【００５９】
また、同様の観点から、上記品質判定手順は、上記目標受信品質値から上記受信品質値を減算して差分値を演算する差分値演算手順と、上記差分値演算手順にて演算された当該差分値が第二の閾値以上となるか否かを判定する第二の閾値判定手順とを有し、上記第二の閾値判定手順にて上記差分値が上記第二の閾値以上となると判定されたときに、上記受信信号品質が所定の品質より低下したと判定するように構成することができる。
【００６０】
更に、上記通信装置が、受信信号品質値が所定のパラメータに従って制御される目標受信品質値に近づくよう決定した送信電力制御情報を他の通信装置に送信するものである場合、上記と同様の観点から、上記品質判定手順は、上記受信信号品質値が第一の閾値より低下したか否かを判定する第一の閾値判定手順と、上記目標受信品質値から上記受信品質値を減算して差分値を演算する差分値演算手順と、上記差分値演算手順にて演算された当該差分値が第二の閾値以上となるか否かを判定する第二の閾値判定手順と、上記第一の閾値判定手順にて上記受信信号品質値が上記第一の閾値より低下していると判定されたとき、または、上記第二の閾値判定手順にて上記差分値が上記第二の閾値以上であると判定されたときに、上記受信信号品質が所定の品質より低下したと判定するように構成することができる。
【００６１】
上記目標受信品質値の制御の基礎となる所定のパラメータは、特に限定されず、目標受信品質値が固定値ではなくその制御により変化する場合に、上記構成は有効となる。上記所定のパラメータは、例えば、通信装置にて得られる受信信号に含められた伝送情報の誤り率などを用いることができる。
【００６２】
上記自律制御手順は、例えば、上記所定の特性に従って送信電力を上昇させる自律送信電力制御情報を生成する手順と、上記品質判定手順により上記受信信号品質が所定の品質より低下したと判定されたときに、上記他の通信装置からの送信電力制御情報に基づいた送信電力制御から上記自律送信電力制御情報に基づいた送信電力制御に切換える制御切換え手順とを有するように構成することができる。
【００６３】
受信信号品質の改善がなされないまま無駄な送信電力上昇制御が行なわれることを防止するという観点から、本発明の一特徴に従えば、上記各送信電力制御方法において、上記自律制御手順は、上記所定の特性に従って送信電力を上昇させる過程で、その送信電力の上昇量が所定量に達したか否かを判定する判定手順と、該判定手順にてその送信電力の上昇量が所定量に達したと判定されたときに、上記所定の特性に従って送信電力を上昇させることを停止させる自律制御停止手順とを有するように構成することができる。
【００６４】
上記第三の課題を解決するため、本発明の一特徴に従えば、他の通信装置と信号の無線送受信を行い、受信信号品質に基づいて決定した上記他の通信装置での送信電力制御に用いられるべき送信電力制御情報を送信する通信装置での送信電力を上記他の通信装置からの所定の情報に基づいて制御する送信電力制御装置において、上記受信信号品質が所定の品質より低下したか否かを判定する品質判定手段と、該品質判定手段により当該受信信号品質が所定の品質より低下したと判定されたときに、送信電力を、上記他の通信装置からの所定の情報にかかわらず、当該判定時の送信電力値から所定の特性に従って上昇させる自律制御手段とを有するように構成される。
【００６５】
また、上記第四の課題は、他の通信装置と信号の無線送受信を行い、受信信号品質に基づいて決定した上記他の通信装置での送信電力制御に用いられるべき送信電力制御情報を送信する送信電力制御情報送信手段と、
上記他の通信装置からの所定の情報に基づいて送信電力を制御する制御手段と、
上記の送信電力制御装置を有する通信装置にて解決される。
【００６６】
更に、上記第五の課題を解決するため、本発明の一特徴に従えば、移動通信システムにおける基地局と移動局との間で情報データの伝送が開始される前において、基地局から移動局での送信電力制御に用いられるべき送信電力制御情報を送信すると共に基地局と移動局との間で信号を送受信して同期をとるための処理がなされる際に移動局での送信電力を制御する送信電力制御方法において、基地局からの信号に対する移動局での同期が確立された後に、基地局からの送信電力制御情報に係わらず、送信電力を、初期値から所定の特性に従って上昇させるように制御する自律制御手順を有するように構成される。
【００６７】
このような送信電力制御方法では、移動局と基地局との間で情報データの伝送が開始される前において、基地局と移動局との間で信号を送受信して同期をとるための処理がなされる際に、移動局では、基地局からの送信電力制御情報に係わらず、送信電力が初期値から所定の特性に従って上昇するように制御される。
【００６８】
上記所定の特性は、基地局からの送信電力制ｆ１御情報が急激に送信電力を上昇させる特性を表すものであったとしても、その送信電力制御情報と関係なく、同期確立がより早期に行えると共に、より無駄のない送信電力制御が行えるという観点から決めることができる。この所定の特性は、上記初期値より送信電力が低下することがなければ、上記観点に従って任意に決めることができ、徐々に上昇する特性であっても、ある値までステップ状に上昇させた後に、その値を維持するような特性であってもよい。
【００６９】
特に、本発明の一特徴に従えば、上記送信電力制御方法において、上記自律制御手順は、上記基地局からの送信電力制御情報に基づいた送信電力制御による送信電力の変化より緩やかに変化する特性に従って送信電力を上昇させるように制御するように構成することができる。
【００７０】
上記自律制御手順に従った送信電力制御の停止時期にて送信電力制御の切換えをスムーズに行うようにするという観点から、本発明の一特徴に従えば、上記送信電力制御方法において、上記自律制御手順による送信電力の制御が開始された後に、当該自律制御手順による送信電力の制御を停止させるべき所定の条件が満足されたか否かを判定する自律制御停止条件判定手順と、該自律制御停止条件判定手順によって上記所定の条件が満足されたと判定されたときに、上記自律制御手順による送信電力の制御から上記基地局からの送信電力制御情報に基づいた送信電力の制御に切換える制御切換え手順とを有するように構成することができる。
【００７１】
上記のような送信電力制御方法では、上記所定の条件が満足されたとの判定時に、自律制御手順に従った送信電力の制御から基地局からの送信電力制御情報に基づいた送信電力の制御に切替わる。
【００７２】
上記自律制御手順による送信電力の制御を停止させるべき所定の条件は、基地局からの情報に係わりなく移動局にて判断できる条件であっても、基地局からの情報に基づいて移動局にて判断できる条件であってもよい。
【００７３】
前者の場合、より簡易にその停止時期を判定できるという観点から、本発明の一特徴に従えば、上記送信電力制御方法において、上記自律制御停止条件判定手順は、上記自律制御手順による送信電力の制御が開始されてから所定時間が経過したか否かを判定し、上記自律制御手順による送信電力の制御が開始されてから上記所定時間が経過したとの判定を上記所定の条件が満足されたとの判定とするように構成することができる。
【００７４】
また、後者の場合、本発明の一特徴に従えば、上記送信電力制御方法において、上記基地局は、当該基地局での同期が確立される前では、所定の送信電力制御情報を送信し、上記移動局からの信号に基づいて当該基地局での同期が確立された後では、移動局から送信される信号の受信品質に基づいて決められる閉ループ送信電力制御情報を送信するようにし、上記自律制御停止条件判定手順は、上記基地局から受信される送信電力制御情報が、上記所定の送信電力制御情報から閉ループ送信電力制御情報に変わったか否かを判定する制御情報変更判定手順を有し、該制御情報変更判定手順にてなされる上記基地局から受信される送信電力制御情報が上記所定の送信電力制御情報から閉ループ送信電力制御情報に変わったとの判定を上記所定の条件が満足されたとの判定とするように構成することができる。
【００７５】
基地局から送信される所定の送信電力制御情報が正しく移動局にて受信されない場合に、基地局からの送信電力制御情報が閉ループ送信電力制御情報に変わったと誤って判定される可能性を低減するという観点から、本発明の一特徴に従えば、上記送信電力制御方法において、上記自律制御停止条件判定手順は、上記自律制御手順による送信電力制御が開始されたから所定時間が経過したか否かを判定する開始タイミング判定手順を有し、該開始タイミング判定手順にて上記自律制御手順による送信電力制御が開始されてから上記所定時間が経過したと判定されたときに、上記制御情報変更判定手順に従った判定を開始するように構成することができる。
【００７６】
このような送信電力制御方法では、上記自律制御手順による送信電力制御が開始されてから少なくとも上記所定時間は、基地局からの送信電力制御情報が閉ループ送信電力制御であると判定されることはない。
【００７７】
上記第五の課題を解決するため、本発明の一特徴に従えば、移動通信システムにおける基地局と移動局との間で情報データの伝送が開始される前において、基地局から移動局での送信電力制御に用いられるべき送信電力制御情報を送信すると共に基地局と移動局との間で信号を送受信して同期をとるための処理がなされる際に移動局での送信電力を制御する送信電力制御方法において、基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手順を有するように構成される。
【００７８】
このような送信電力制御方法では、移動局と基地局との間で情報データの伝送が開始される前において、基地局と移動局との間で信号を送受信して同期をとるための処理がなされている際に、移動局では、基地局からの送信電力制御情報に基づいて生成される緩特性送信電力制御情報に基づいて送信電力の制御がなされる。これにより、基地局からの送信電力制御情報が急激に送信電力を変化させる特性を表すものであったとしても、その特性より緩やかに変化する特性にて移動局での送信電力を制御することができる。
【００７９】
上記緩特性送信電力制御情報は、基地局からの送信電力制御情報に基づいて生成されたものであれば特に限定されず、例えば、その送信電力制御情報から部分的に抽出された情報に基づいて作成されたものであっても、また、その送信電力制御情報を細分化して得られる各部分の平均的な情報に基づいて作成されたものであってもよい。
【００８０】
また、上記緩特性送信電力制御手順に従った送信電力制御の停止時期にて送信電力制御の切換えをスムーズに行うようにするという観点から、本発明の一特徴に従えば、上記送信電力制御方法において、上記緩特性送信電力制御手順による送信電力制御が開始された後に、当該緩特性送信電力制御手順による送信電力の制御を停止させるべき所定の条件が満足されたか否かを判定する緩特性送信電力制御停止判定手順と、該緩特性送信電力制御停止判定手順によって上記所定の条件が満足されたと判定されたときに、上記緩特性送信電力制御手順による送信電力の制御から上記基地局からの送信電力制御に基づいた送信電力の制御に切換える制御切換え手順とを有するように構成することができる。
【００８１】
更に、上記第一の課題を解決するため、本発明の一特徴に従えば、移動通信システムにおける基地局と移動局との間で情報データの伝送が開始される前において、基地局から移動局での送信電力制御に用いられるべき送信電力制御情報を送信すると共に基地局と移動局との間で信号を送受信して同期をとるための処理がなされる際に移動局での送信電力を制御する送信電力制御装置において、基地局からの信号に対する移動局での同期が確立された後に、基地局からの送信電力制御情報に係わらず、送信電力を、初期値から所定の特性に従って上昇させるように制御する自律制御手段を有するように構成される。
【００８２】
また、上記第五の課題を解決するため、本発明の一特徴に従えば、移動通信システムにおける基地局と移動局との間で情報データの伝送が開始される前において、基地局から移動局での送信電力制御に用いられるべき送信電力制御情報を送信すると共に基地局と移動局との間で信号を送受信して同期をとるための処理がなされる際に移動局での送信電力を制御する送信電力制御装置において、基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手段を有するように構成される。
【００８３】
上記第六の課題を解決するため、本発明の一特徴に従えば、送信電力制御に用いられるべき送信電力制御情報を送信する基地局に対して情報データの伝送を行う前において、基地局との間で信号を送信して同期をとるための処理がなされる際に送信電力を制御する送信電力制御装置を有する移動局において、上記送信電力制御装置は、基地局からの信号に対する当該移動局での同期が確立された後に、基地局からの送信電力制御情報に係わらず、送信電力を、初期値から所定の特性に従って上昇させるように制御する自律制御手段を有するように構成される。
【００８４】
更に、上記第六の課題を解決するため、本発明の一特徴に従えば、送信電力制御に用いられるべき送信電力制御情報を送信する基地局に対して情報データの伝送を行う前において、基地局との間で信号を送信して同期をとるための処理がなされる際に送信電力を制御する送信電力制御装置を有する移動局において、上記送信電力制御装置は、基地局からの信号に対する移動局での同期が確立された後に、該基地局からの送信電力制御情報に基づいて生成される当該送信電力制御情報に基づいた送信電力制御による送信電力の変化より緩やかに変化する特性に従って送信電力を制御するための緩特性送信電力制御情報に基づいて送信電力を制御する緩特性送信電力制御手段を有するように構成される。
【００８５】
なお、本発明の他の目的、特徴、利点は、添付図面と共になされる以下の詳細な説明にて、明らかにされる。
【発明を実施するための最良の形態】
【００８６】
以下、本発明の実施の形態を図面に基づいて説明する。
【実施例】
【００８７】
［実施例１］
本発明の実施の一形態に係る送信電力制御方法が適用されるＣＤＭＡ方式の移動通信システムにおけるソフトハンドオーバの一般的なモデルが図１に示される。
【００８８】
図１において、ソフトハンドオーバでは、移動局ＭＳは、基地局ＢＳ１のサービスエリアから基地局ＢＳ２のサービスエリアへの移動中に、それらのサービスエリアの境界領域において、双方の基地局ＢＳ１、ＢＳ２と無線接続される。この状態で、移動局ＭＳは、各基地局ＢＳ１、ＢＳ２から受信した信号を合成し、その合成信号から伝送情報を取得する。また、各基地局ＢＳ１、ＢＳ２は、移動局ＭＳから送信される信号を受信し、それらの受信信号が、例えば、上位局にて合成され、その合成信号から移動局ＭＳからの伝送情報が得られる。
【００８９】
上記移動局ＭＳと各基地局ＢＳ１、ＢＳ２とが無線接続された状態で、移動局ＭＳ及び各基地局ＢＳ１、ＢＳ２は、それぞれ通信相手局から伝送される送信電力制御ビットに基づいて送信電力制御を行う。
【００９０】
上記移動局ＭＳは、例えば、図２に示すように構成される。
【００９１】
図２において、移動局ＭＳは、送受分離部２０を有すると共に、送信系として、誤り訂正符号化部１１、データビット変調部１２、送信電力制御ビット変調部１３、拡散部１４、無線送信部１５及び送信電力制御部１６を有する。
【００９２】
情報源（音声処理部、データ処理部など）からのデータに対して、所定の処理、例えば、CRC（cycle redundancy check）の手法に従って誤り検出用のパリティビットをフレーム単位に付加するなどの処理がなされる。誤り訂正符号化部１１は、上記のような処理により得られたフレーム単位のパリティビット付きデータの符号化を行う。データビット変調部１２は、誤り訂正符号化部１１からのフレーム単位の符号化データに基づいてデータ変調信号を生成する。
【００９３】
送信電力制御ビット変調部１３は、後述するように生成される基地局の送信電力を制御するための送信電力制御ビットに基づいて制御ビット変調信号を生成する。この制御ビット変調信号は、例えば、送信電力制御ビット「１」（電力増加を表す）に対応した値「＋１」及び送信電力制御ビット「０」（電力低減を表す）に対応した値「−１」のいずれかの値を表す。
【００９４】
拡散部１４は、上記データビット変調部１２にて生成されたデータ変調信号及び送信電力制御ビット変調部１３にて生成された制御ビット変調信号を多重化し、移動局ＭＳ固有の拡散コードを用いてその多重化された信号の拡散処理を行う。この拡散部１４にて得られた拡散信号は、所定の周波数の信号として無線送信部１５から送受分離部２０を介して送信される。
【００９５】
送信電力制御部１６は、後述するように生成される送信電力制御信号に基づいて無線送信部１５での送信電力を制御する。上記送信電力制御信号は、例えば、送信電力増加、送信電力低減及び送信電力維持のいずれかの制御動作を表し得る。送信電力制御部１６は、その送信電力制御信号が表す制御動作に従って、無線送信部１５での送信電力を所定量（dB）だけ増加または低減させ、あるいは現在の送信電力を維持させる。
【００９６】
なお、各基地局ＢＳ１、ＢＳ２は、上記移動局ＭＳの送信系と略同様の構成となる送信系を有している。これにより、各基地局ＢＳ１、ＢＳ２は、データと移動局ＭＳでの送信電力を制御するための送信電力制御ビットとを多重化し、その多重化された信号を固有の拡散コードを用いて送信する。
【００９７】
また、移動局ＭＳは、受信系として、無線受信部２１、２つの逆拡散部２２、２３、復調／合成部２４、誤り訂正復号／誤り検出部２５、誤り測定部２６、ＳＩＲ測定部２７、目標ＳＩＲ決定部２８、ＳＩＲ比較部２９及び送信電力制御ビット決定部３０を有している。
【００９８】
ソフトハンドオーバに際して各基地局ＢＳ１、ＢＳ２から送信されるデータ及び送信電力制御ビットが多重化された拡散信号が送受分離部２０を介して無線受信部２１にて受信されると、その受信信号が逆拡散部２２及び２３に供給される。逆拡散部２２は、基地局ＢＳ１固有の拡散コードを用いてその受信信号の逆拡散処理を行う。この逆拡散処理にて、基地局ＢＳ１から伝送されるデータ及び送信電力制御ビットに対応した受信データ信号及び受信送信電力制御ビット信号（以下、受信TPC信号１という）が得られる。逆拡散部２３は、基地局ＢＳ２固有の拡散コードを用いてその受信信号の逆拡散処理を行う。この逆拡散処理にて、基地局ＢＳ２から伝送されるデータ及び送信電力制御ビットに対応した受信データ信号及び受信送信電力制御ビット信号（以下、受信TPC信号２という）が得られる。
【００９９】
復調／合成部２４は、逆拡散部２２及び２３にて得られた各受信データ信号を復調して合成し、合成ベースバンド信号を生成する。その合成ベースバンド信号は、誤り訂正復号／誤り検出部２５に供給され、フレーム単位に誤り訂正復号がなされると共に、CRCの手法に従って伝送誤りの有無の検出がなされる。その復号結果が情報出力として当該移動局ＭＳの信号処理部（図示略）に供給される。この誤り訂正復号／誤り検出部２５は、更に、フレーム単位毎に上記誤りの有無を表す誤り検出結果を出力する。
【０１００】
誤り率測定部２６は、上記誤り訂正復号／誤り検出部２５からの誤り検出結果に基づいて、例えば、フレーム誤り率（FER：Frame Error Rate）を受信信号（希望波）から復元した情報の受信品質として演算する。
【０１０１】
ＳＩＲ測定部２７は、復調／合成部２４からの合成ベースバンド信号に基づいて受信ＳＩＲ（希望波対干渉波及び雑音電力比）を演算する。目標ＳＩＲ決定部２８は、誤り率測定部２６から出力される情報の受信品質（FER）が目標品質となるように、目標ＳＩＲを決定する（アウターループ制御）。ＳＩＲ比較部２９は、上記ＳＩＲ測定部２７からの受信ＳＩＲと目標ＳＩＲ決定部２８からの目標ＳＩＲとを比較し、その比較結果を出力する。
【０１０２】
送信電力制御ビット決定部３０は、ＳＩＲ比較部２９からの比較結果に基づいて送信電力制御ビットの値を決定する（インナーループ制御）。具体的には、受信ＳＩＲが目標ＳＩＲより小さい場合、希望波の受信レベルが低いとして、送信電力制御ビットが送信電力を増加させるべき値「１」に決定される。一方、受信ＳＩＲが目標ＳＩＲ以上となる場合、希望波受信レベルが高いとして、送信電力制御ビットが送信電力を低減させるべき値「０」に決定される。このように値の決定される送信電力制御ビットは、前述したような送信電力制御ビット変調部１３に供給される。これにより、この送信電力制御ビットは、各基地局ＢＳ１、ＢＳ２に伝送され、各基地局ＢＳ１、ＢＳ２は、その送信電力制御ビットに基づいて送信電力制御を行う。
【０１０３】
なお、各基地局ＢＳ１、ＢＳ２は、上記移動局ＭＳの受信系と同様に、上記のように送信電力制御のなされる移動局からの信号の受信ＳＩＲを測定し、その受信ＳＩＲが目標ＳＩＲに近づくように送信電力制御ビットを決定している。
【０１０４】
また、各基地局ＢＳ１、ＢＳ２は、上記データ及び送信電力制御ビットの伝送に用いられる拡散コードとは異なる拡散コードで拡散されたパイロットチャネルにてパイロット信号を常時固定電力値にて送信している。各基地局から送信されるパイロット信号は、移動局ＭＳがソフトハンドオーバに際して無線接続すべき基地局を決定するために用いられる。即ち、移動局ＭＳは、各基地局からのパイロット信号を受信し、そのパイロット信号の受信レベルまたは受信ＳＩＲ、あるいは、これらの値と基地局から別途通知されているパイロット信号の送信レベルとを用いて求めた基地局及び移動局間の伝搬損失に基づいて無線接続すべき基地局を決定する。
【０１０５】
ここで、パイロット信号の送信レベルは、各基地局のアンテナから送信されるパイロット信号の送信レベルを報知情報として移動局ＭＳに通知されている値である。このパイロット信号の送信レベル（dBm）から移動局ＭＳで測定された受信レベル（dBm）を減算した値が伝搬損失（dB）となる。伝播損失値を求める際に用いる受信レベルは、電波伝送路の状態の瞬時変動（フェージング変動）分の影響を受けない程度に平均化を施すことで距離変動分をより忠実に表すことができる。
【０１０６】
移動局ＭＳは、受信系として、更に、２つのパイロット信号復調／伝搬損失演算部３１、３２及び送信電力制御信号決定部３３を有する。各パイロット信号復調／伝搬損失演算部３１、３２は、前述したように、移動局ＭＳが無線接続すべき基地局を決定するために用いられる伝搬損失を演算する。具体的には、次のような処理がなされる。
【０１０７】
ソフトハンドオーバに際して無線接続される基地局として決定された上記各基地局ＢＳ１、ＢＳ２から上記パイロットチャネルにて送信されるパイロット信号が送受分離部２０を介して無線受信部２１にて受信されると、その受信信号が逆拡散部２２及び２３に供給される。逆拡散部２２は、基地局ＢＳ１のパイロットチャネルの拡散コードを用いてその受信信号の逆拡散処理を行う。この逆拡散処理にて、基地局ＢＳ１から伝送されるパイロット信号に対応した受信パイロット信号が得られる。また、逆拡散部２３は、基地局ＢＳ２のパイロットチャネルの拡散コードを用いてその受信信号の逆拡散処理を行う。この逆拡散処理にて、基地局ＢＳ２から伝送されるパイロット信号に対応した受信パイロット信号が得られる。
【０１０８】
逆拡散部２２にて得られた受信パイロット信号は、パイロット信号復調／伝搬送信演算部３１に供給される。パイロット信号復調／伝搬損失演算部３１は、供給される受信パイロット信号を復調し、その復調信号からパイロット信号の受信レベル（dBm）を演算する。そして、このパイロット信号の受信レベル（dBm）と上述したようにネットワーク側から報知情報として通知されるパイロット信号の送信レベル（dBm）とを用いて移動局ＭＳと基地局ＢＳ１との間の電波伝送路での伝搬損失１が演算される。具体的には、パイロット信号の送信レベル（dBm）とパイロット信号の受信レベル（dBm）との差分が伝搬損失１（dB）として演算される。
【０１０９】
上記逆拡散部２３にて得られた受信パイロット信号は、パイロット信号復調／伝搬損失演算部３２に供給される。パイロット信号復調／伝搬損失演算部３２は、供給される受信パイロット信号を復調し、その復調信号からパイロット信号の受信レベル（dBm）を演算する。そして、上記パイロット信号復調／伝搬損失演算部３１と同様に、そのパイロット信号の送信レベル（dBm）と報知情報として通知されたパイロット信号の受信レベル（dBm）との差分が、移動局ＭＳと基地局ＢＳ２との間の電波伝送路での伝搬損失２（dB）として演算される。
【０１１０】
上述したように逆拡散部２２にて得られた基地局ＢＳ１から送信される送信電力制御ビットに対応した受信TPC信号１、逆拡散部２３にて得られた基地局ＢＳ２から送信される送信電力制御ビットに対応した受信TPC信号２、及び上記パイロット信号復調／伝搬損失演算部３１にて得られた移動局ＭＳと基地局ＢＳ１との間の電波伝送路での伝搬損失１、上記パイロット信号復調／伝搬損失演算部３２にて得られた移動局ＭＳと基地局ＢＳ２との間の電波伝送路での伝搬損失２が送信電力制御信号決定部３３に供給される。
【０１１１】
送信電力制御信号決定部３３は、移動局ＭＳと無線接続された各基地局ＢＳ１、ＢＳ２から伝送される２つの送信電力制御ビットの情報に基づいて当該移動局ＭＳでの送信電力制御信号を決定するもので、上記受信TPC信号１、受信TPC信号２、伝搬損失１及び伝搬損失２に基づいて送信電力制御信号を決定する。この送信電力制御信号を決定するに際して、上記伝搬損失１及び伝搬損失２は、上記受信TPC信号１及び受信TPC信号２の信頼度として考慮される。
【０１１２】
図３を参照して送信電力制御信号決定部３３の第一の構成例について説明する。
【０１１３】
図３において、送信電力制御信号決定部３３は、２つのTPC復調部３０１、３０２、TPC軟判定値重み合成部３０３及び硬判定部３０４を有している。TPC軟判定値重み合成部３０３は、重み係数決定部３１０、２つの重み補正部３１１、３１２及び合成部３１３を有する。
【０１１４】
上記TPC復調部３０１は、上記逆拡散部２２からの受信TPC信号１を復調し、その復調信号のレベル値を基地局ＢＳ１からの送信電力制御ビットの軟判定値TPC-SS1として出力する。上記TPC復調部３０２は、上記逆拡散部２３からの受信TPC信号２を復調し、その復調信号のレベル値を基地局ＢＳ２からの送信電力制御ビットの軟判定値TPC-SS2として出力する。これらの軟判定値TPC-SS1及びTPC-SS2は、移動局ＭＳと各基地局ＢＳ１、ＢＳ２との間の電波伝送路の状態を反映しており、例えば、上述したように、送信電力制御ビットが「＋１」、「−１」の値に変調されて伝送される場合、理想的な伝送路の状態では、「＋１」または「−１」となる。
【０１１５】
TPC軟判定値重み合成部３０３の重み係数決定部３１０は、伝搬損失１と伝搬損失２とに基づいて上記軟判定値TPC-SS1及び軟判定値TPC-SS2に対する重み係数を決定する。この重み係数決定部３１０は、より小さい伝搬損失に対してより大きい重み係数となるようにその重み係数を決定する。例えば、各伝搬損失１、２の逆数に基づいた重み係数が決定される。
【０１１６】
重み補正部３１１は、上記送信電力制御ビットの軟判定値TPC-SS1に上記伝搬損失１に対応した重み係数を乗じ、その補正値を出力する。また、重み補正部３１２は、上記送信電力制御ビットの軟判定値TPC-SS2に上記伝搬損失２に対応した重み係数を乗じ、その補正値を出力する。これにより、上記伝搬損失１及び２が、上記送信電力制御ビットの軟判定値TPC-SS1及びTPC-SS2の信頼度として考慮されることになる。即ち、伝搬損失が小さく、より信頼度が高いと見込まれる軟判定値TPC-SS1またはTPC-SS2に対してより大きな重み係数が乗ぜられることになる。
【０１１７】
合成部３１３は、各重み補正部３１１、３１２から出力される各軟判定値TPC-SS1、TPC-SS2の補正値を最大比合成（MRC：Maximum Ration Combining）する。具体的には、各補正値が加算され、合成部３１３からTPC合成軟判定値が出力される。
【０１１８】
基地局ＢＳ１からの送信電力制御ビット（０，０，０，０，０，…）の軟判定値TPC-SS1が、例えば、
-0.2，-03，0.1，-0.3，-06，…
のように得られ、基地局ＢＳ２からの送信電力制御ビット（１，１，１，１，１，…）の軟判定値TPC-SS2が、例えば、
0.6，0.3，0.4，0.2，-0.1，…
のように得られ、更に、例えば、伝搬損失１に対応した重み係数が1.1、伝搬損失２に対応した重み係数が0.9とそれぞれ得られた場合、TPC合成軟判定値は、
0.32，-0.06，0.47，-0.15，-0.75，…
となる。
【０１１９】
上記のようにして得られたTPC合成軟判定値は硬判定部３０４に供給される。この硬判定部３０４は、供給されるTPC合成軟判定値が所定の閾値以上であるか及びその閾値より小さいかのいずれかであるかを判定し、その判定結果を送信電力制御信号として出力する。この所定の閾値が、例えば、「０」で、TPC合成軟判定値が、例えば、上述したように、
0.32，-0.06，0.47，-0.15，-0.75，…
となる場合、
１，０，１，０，０，…
となる送信電力制御信号が出力される。
【０１２０】
そして、この送信電力制御信号に基づいて上述した送信電力制御部１６が無線送信部１５での送信電力を所定量だけ増加（送信電力制御信号＝１）またはその送信電力を所定量だけ減少（送信電力制御信号＝０）させる。
【０１２１】
上述したように、移動局ＭＳでは、各基地局ＢＳ１、ＢＳ２から伝送される送信電力制御ビットの軟判定値TPC-SS1及びTPC-SS2が、送信電力制御のなされない（固定送信電力にて送信される）パイロット信号の送信レベル及び受信レベルに基づいて求められた移動局ＭＳと各基地局ＢＳ１、ＢＳ２との間の伝送路での伝搬損失が信頼度として考慮されるように重み合成される。そして、その重み合成の結果得られたTPC合成軟判定値を硬判定した結果が送信電力制御信号として決定される。このようにして決定された送信電力制御信号に基づいて移動局ＭＳでの送信電力制御がなされることにより、移動局ＭＳと各基地局ＢＳ１、ＢＳ２との間の伝送路の状態をより忠実に考慮して移動局ＭＳの送信電力制御が可能となる。
【０１２２】
上記例では、上記硬判定部３０４での閾値が、例えば、各基地局ＢＳ１とＢＳ２から送信される送信電力制御ビットの変調信号の取り得る値「＋１」と「−１」の中心値「０」に設定される。無駄のない送信電力制御を可能にするという観点から、上記閾値を僅かに「＋１」寄りの値に決めることもできる。この場合、上記TPC重み合成値が送信電力を低減することを表す「０」に硬判定され易くなり、比較的低電力での送信電力制御がなされる。硬判定部３０４での閾値は、移動通信システムにおいて常に移動局と基地局間での通信が適正になされる範囲で適当に設定することができる。
【０１２３】
また、上記硬判定部３０４は、例えば、図４に示すように構成することもできる。この硬判定部３０４は、２つの閾値Th1、Th2を用いている。
【０１２４】
図４において、この硬判定決定部３０４は、第一の硬判定部３２１、第二の硬判定部３２２及び演算部３２３を有する。第一の硬判定部３２１は、TPC軟判定値重み合成部３０３からのTPC合成軟判定値を第一の閾値Th1を用いて硬判定する。即ち、TPC合成軟判定値が上記第一の閾値Th1以上か、及び上記第一の閾値より小さいかのいずれであるかを判定し、その判定結果を出力する。また、第二の硬判定部３２２は、上記TPC合成軟判定値を上記第一の閾値Th1より小さい第二の閾値Th2（Th2＜Th1）を用いて硬判定する。即ち、TPC合成軟判定値が上記第二の閾値Th2以上か、及び上記第二の閾値Th2より小さいかのいずれであるかを判定し、その判定結果を出力する。
【０１２５】
演算部３２３は、上記第一の硬判定部３２１からの判定値Ａ及び第二の硬判定部３２２からの判定値Ｂに基づいて得られる演算結果Ｃを送信電力制御信号として出力する。その演算論理は、例えば、図５に示すようになっている。即ち、判定値Ａが「１」（TPC合成軟判定値が第一の閾値Th1以上であることを表す）で、かつ、判定値Ｂが「１」（TPC合成軟判定値が第二の閾値Th2以上であることを表す）である場合、演算結果Ｃ＝「１」が送信電力を所定量（dB）だけ増加させることを表す送信電力制御信号として出力される。また、判定値Ａが「０」（TPC合成軟判定値が第一の閾値Th1より小さいことを表す）で、かつ、判定値Ｂが「０」（TPC合成軟判定値が第二の閾値Th2より小さいことを表す）である場合、演算結果Ｃ＝「０」が送信電力を所定量（dB）だけ減少させることを表す送信電力制御信号として出力される。
【０１２６】
更に、判定値Ａが「０」で、判定値Ｂが「１」である場合、即ち、TPC合成軟判定値が第一の閾値Th1より小さく、第二の閾値Th2以上である場合、演算結果Ｃ＝「維持」が現在の送信電力を維持することを表す送信電力制御信号として出力される。なお、判定値Ａが「１」で、判定値Ｂが「０」である状況は、第一の閾値Th1及び第二の閾値Th2の大小関係（Th1＞Th2）から論理的にありえない。
【０１２７】
このような硬判定部３０４の構成により、TPC合成軟判定合成値が、電力増大、電力減少を明確に表しうる値とならない場合（第一の閾値Th1より小さく、第二の閾値Th2以上）、現在の送信電力が維持されるようになるので、誤って送信電力を増大させたり、減少させたりする制御を防止することができる。
【０１２８】
次に、図６を参照して上記送信電力制御信号決定部３３の第二の構成例について説明する。なお、図６において、図３に示す部分と同様の部分については同一の参照符号が付されている。
【０１２９】
図６において、この送信電力制御信号決定部３３は、２つのTPC復調部３０１、３０２、比較部３０５、選択部３０６及び硬判定部３０７を有している。前述した例（図３参照）と同様に、TPC復調部３０１、３０２は、上記逆拡散部２２、２３からの受信TPC信号１及び受信TPC信号２を復調し、その復調信号のレベル値を基地局ＢＳ１及びＢＳ２からの送信電力制御ビットの軟判定値TPC-SS1、TPC-SS2として出力する。
【０１３０】
比較部３０５は、パイロット信号復調／伝搬損失演算部３１にて演算された伝搬損失１と、パイロット信号復調／伝搬損失演算部３２にて演算された伝搬損失２とを比較し、その比較結果を出力する。選択部３０６は、比較部３０５からの比較結果を選択制御信号として入力し、その選択制御信号に基づいて基地局ＢＳ１からの送信電力制御ビットの軟判定値TPC-SS1となるTPC復調部３０１からの出力及び基地局ＢＳ２からの送信電力制御ビットの軟判定値TPC-SS2となるTPC復調部３０２からの出力のいずれかを選択する。
【０１３１】
比較部３０５から伝搬損失１が伝搬損失２より小さいという比較結果に基づいた選択制御信号が選択部３０６に入力されると、選択部３０６は、TPC復調部３０１からの出力を選択する。また、比較部３０５から伝搬損失２が伝搬損失１より小さいという比較結果に基づいた選択制御信号が選択部３０６に入力されると、選択部３０６は、TPC復調部３０２からの出力を選択する。
【０１３２】
硬判定部３０７は、上記のようにして選択された送信電力制御ビットの軟判定値TPC-SS1またはTPC-SS2は、所定の閾値を用いて硬判定し、その硬判定結果を送信電力制御信号として出力する。なお、硬判定部３０７は、前述した硬判定部３０４（図３参照）と同様の処理にて軟判定値TPC-SS1またはTPC-SS2の硬判定を行うことができる。
【０１３３】
上記のような送信電力制御信号決定部３３の構成により、移動局ＭＳと各基地局ＢＳ１、ＢＳ２との間の電波伝送路のうち伝搬損失が最小となる電波伝送路を通って伝送される送信電力制御ビットの軟判定値（TPC-SS1またはTPC-SS2）に基づいて送信電力制御信号が決定される。従って、移動局ＭＳと各基地局ＢＳ１、ＢＳ２との間の伝送路の状態を考慮した移動局ＭＳの送信電力制御が可能となる。
【０１３４】
なお、上記構成例（図６参照）の送信電力制御信号決定部３３にて決定された送信電力制御信号に基づいた移動機ＭＳの送信電力制御は、移動局ＭＳと各基地局との間の伝送路での伝搬損失に大きな差がある場合に、より適正な送信電力制御が可能になるという点で、好ましい。
【０１３５】
次に、図７を参照して上記送信電力制御信号決定部３３の第三の構成例について説明する。なお、図７において、図３に示す部分と同様の部分については同一の参照符号が付されている。
【０１３６】
図７において、この送信電力制御信号決定部３３は、２つのTPC復調部３０１、３０２、重み係数決定部３１０、２つの重み補正部３１１、３１２、２つの硬判定部３１４、３１５及び最小値選択部３１６を有している。
【０１３７】
上述した第一の構成例（図３参照）と同様に、重み係数決定部３１０が伝搬損失１及び伝搬損失２に対応した重み係数を決定し、重み補正部３１１、３１２が、基地局ＢＳ１、ＢＳ２からの送信電力制御ビットの軟判定値TCP-SS1、TPC-SS2となるTPC復調部３０１、３０２の出力に対してその伝搬損失１、伝搬損失２に対応する重み係数を乗じて、その補正値を出力する。
【０１３８】
硬判定部３１４は、所定の閾値を用いて重み補正部３１１から出力される軟判定値TPC-SS1の補正値の硬判定を行う。また、硬判定部３１５は、所定の閾値を用いて重み補正部３１２から出力される軟判定値TPC-SS2の補正値の硬判定を行う。硬判定部３１４からの硬判定出力は、基地局ＢＳ１から伝送される送信電力制御ビットに対応したものとなり、硬判定部３１５からの硬判定出力は、基地局ＢＳ２から伝送される送信電力制御ビットに対応したものとなる。
【０１３９】
最小値選択部３１６は、硬判定部３１４、３１５からの両硬判定出力の値が同じ場合（送信電力増加を表す「１」または送信電力減少を表す「０」である場合）、その硬判定出力の値を送信電力制御信号として出力する。一方、最小値選択部３１６は、硬判定部３１４、３１５からの両硬判定出力の値が異なる場合（送信電力増加を表す「１」及び送信電力減少を表す「０」の場合）、そのうちの小さい値「０」を送信電力制御信号として出力する。
【０１４０】
硬判定部３１４からの硬判定出力値が、例えば、
１、０、１、０、０、…
となり、硬判定部３１５からの硬判定出力値が、例えば、
１、１、１、１、１、…
となる場合、最小値選択部３１６は、
１、０、１、０、０、…
を送信電力制御信号として出力する。
【０１４１】
上記のような送信電力制御信号決定部３３の構成により、移動局ＭＳでは、各基地局ＢＳ１、ＢＳ２との間の伝送路での伝搬損失が信頼度として考慮され、各基地局ＢＳ１、ＢＳ２から伝送される送信電力制御ビットの軟判定値TPC-SS1、TPC-SS2が重み補正される。そして、その重み補正された値の硬判定結果が異なる場合に、より小さい硬判定結果が送信電力制御信号として決定される。そのように決定される送信電力制御信号に基づいて移動局ＭＳの送信電力制御を行うことにより、移動局ＭＳと各基地局ＢＳ１、ＢＳ２との間の伝送路の状態をより忠実に考慮して移動局ＭＳの無駄のない送信電力制御が可能となる。
【０１４２】
次に、図８を参照して上記送信電力制御信号決定部３３の第四の構成例について説明する。なお、図８において、図３に示す部分と同様の部分については同一の参照符号が付されている。
【０１４３】
図８において、この送信電力制御信号決定部３３は、２つのTPC復調部３０１、３０２、４つの硬判定部３１７、３１８、３３１、３３２、最小値選択部３１９及び選択部３３３を有する。上述した各例と同様に、TPC復調部３０１、３０２は、上記逆拡散部２２、２３（図２参照）からの受信TPC信号１及び受信TPC信号２を復調し、その復調信号のレベル値を基地局ＢＳ１及びＢＳ２からの送信電力制御ビットの軟判定値TPC-SS1、TPC-SS2として出力する。
【０１４４】
硬判定部３１７は、所定の閾値を用いて上記TPC復調部３０１からの軟判定値TPC-SS1の硬判定を行う。この硬判定部３１７からの硬判定出力は、基地局ＢＳ１から伝送される送信電力制御ビットに対応したものとなる。また、硬判定部３１８は、所定の閾値を用いて上記TPC復調部３０２からの軟判定値TPC-SS2の硬判定を行う。この硬判定部３１８からの硬判定出力は、基地局ＢＳ２から伝送される送信電力制御ビットに対応したものとなる
最小値選択部３１９は、硬判定部３１７、３１８からの両硬判定出力の値が同じ場合、その硬判定出力の値を出力する。一方、硬判定部３１７、３１８からの硬判定出力の値が異なる場合（「０」と「１」の場合）、そのうち小さい値「０」を送信電力制御信号として出力する。
【０１４５】
硬判定部３３１は、パイロット信号復調／伝搬損失演算部３１にて演算された伝搬損失１が所定の閾値以上か、及び所定の閾値より小さいかのいずれかの判定結果を硬判定結果として出力する。硬判定部３３２は、パイロット信号復調／伝搬損失演算部３２にて演算された伝搬損失が上記所定の閾値以上か、及び所定の閾値より小さいかのいずれかの判定結果を硬判定結果として出力する。そして、各硬判定部３３１、３３２からの硬判定結果が選択制御信号として選択部３３３に供給される。
【０１４６】
選択部３３３は、上記選択制御信号に基づいて基地局ＢＳ１から伝送される送信電力制御ビットに対応した硬判定部３１７の硬判定出力値Ａ、最小選択部３１９からの出力値MIN及び基地局ＢＳ２から伝送される送信電力制御ビットに対応した硬判定部３１８の硬判定出力値Ｂのいずれかを選択する。
【０１４７】
例えば、伝搬損失１が所定の閾値より小さく、伝搬損失２が所定の閾値以上の場合、硬判定部３３１、３３２から出力される硬判定結果に基づいた選択制御信号により、選択部３３３は、硬判定部３１７の硬判定出力値Ａを選択して送信電力制御信号として出力する。また、伝搬損失１が所定の閾値以上で、伝搬損失２が所定の閾値より小さい場合、硬判定部３３１、３３２から出力される硬判定結果に基づいた選択制御信号により、選択部３３３は、硬判定部３１８の硬判定出力Ｂを選択して送信電力制御信号として出力する。更に、伝搬損失１及び伝搬損失２の双方が所定の閾値より小さい場合、または、その双方が所定の閾値以上の場合、硬判定部３３１、３３２から出力される硬判定結果に基づいた選択制御信号により、選択部３３３は、最小選択部３１９からの出力値MINを選択して送信電力制御信号として出力する。
【０１４８】
上記のような送信電力制御信号決定部３３の構成により、移動局MＳと各基地局ＢＳ１、ＢＳ２との間の電波伝送路のうち伝搬損失がより小さい値となる電波伝送路を通って伝送される送信電力制御ビットの軟判定値の硬判定結果が送信電力制御信号として決定される。また、移動局ＭＳと各基地局ＢＳ１、ＢＳ２との間の電波伝送路の伝搬損失が同じように所定の閾値以上、または同じように所定の閾値より小さい場合、基地局ＢＳ１、ＢＳ２から伝送される送信電力制御ビットの軟判定値TPC-SS1、TPC-SS2は、同程度の信頼性がある（同程度の信頼性しかない）として、それらの硬判定結果のうち小さい値（「０」）が送信電力制御信号として決定される。
【０１４９】
従って、移動局ＭＳと各基地局ＢＳ１、ＢＳ２との間の伝送路の状態を考慮した無駄のない送信電力制御が可能となる。
【０１５０】
次に、図９を参照して上記送信電力制御信号決定部３３の第五の構成例について説明する。なお、図９において、図３及び図６に示す部分と同様の部分については同一の参照符号が付されている。
【０１５１】
図９において、送信電力制御信号決定部３３は、図３に示す構成例と同様に、２つのTPC復調部３０１、３０２、TPC軟判定値重み合成部３０３及び硬判定部３０４を有している。また、この送信電力制御信号決定部３３は、図６に示す構成例と同様に、２つのTPC復調部３０１、３０２からの軟判定値TPC-SS1、TPC-SS21のいずれかを選択する選択部３０６、伝搬損失１と伝搬損失２とを比較し、その比較結果を選択制御信号として選択部３０６に供給する比較部３０５及び硬判定部３０７を有している。更に、この送信電力制御信号決定部３３は、硬判定部３０４からの硬判定出力値及び硬判定部３０７からの硬判定出力値のいずれかを選択する選択部３３４を有している。
【０１５２】
また、この移動局ＭＳは、フェージング周波数測定部４０及びフェージング判定部４１を有している。フェージング周波数測定部４０は、受信信号のフェージング周波数を測定する。このフェージング周波数は、例えば、復調／合成部２４からの出力信号（合成復調信号）のレベル変動に基づいて測定することができる。また、各拡散チャネルでのパイロット信号の復調信号のレベル変動に基づいて各拡散チャネル毎のフェージング周波数を求めることができる（例えば、本願出願人が既に出願している特願2000-082929参照）。この拡散チャネル毎のフェージング周波数の平均値や、その各フェージング周波数のうちでより大きいフェージング周波数をフェージング周波数の測定値として用いることもできる。更に、フェージングによって希望波のレベルが低下すると、受信ＳＩＲが低下し、その受信ＳＩＲを目標ＳＩＲに近づけるように送信電力制御ビットが決定される。従って、このように決定される送信電力制御ビットの変動状況に基づいてフェージング周波数を測定することもできる。
【０１５３】
フェージング判定部４１は、上記のようにしてフェージング周波数測定部４０にて測定されたフェージング周波数が基準値以上であるか否かを判定し、その判定結果を選択制御信号として出力する。選択部３３４は、フェージング判定部４１からフェージング周波数の測定値が基準値より小さいとする判定結果に対応した選択制御信号を入力すると、硬判定部３０４からの硬判定出力値を選択して送信電力制御信号として出力する。一方、選択部３３４は、フェージング判定部４１からフェージング周波数の測定値が基準値以上であるとする判定結果に対応した選択制御信号を入力すると、硬判定部３０７からの硬判定出力値を選択して送信電力制御信号として出力する。
【０１５４】
このような送信電力制御信号決定部３３の構成により、移動局ＭＳの移動速度が比較的小さく、移動局ＭＳでのフェージング周波数が比較的小さい場合には、図３に示す例と同様に、各基地局ＢＳ１、ＢＳ２から伝送される送信電力制御ビットの軟判定値TPC-SS1、TPC-SS2が、移動局ＭＳと各基地局ＢＳ１、ＢＳ２との間の電波伝送路での伝搬損失１、２に基づいて重み合成され、その重み合成の結果得られたTPC合成軟判定値を硬判定した結果が送信電力制御信号として決定される。一方、移動局ＭＳの移動速度が比較的大きく、移動局ＭＳでのフェージング周波数が比較的大きい場合には、図６に示す例と同様に、移動局ＭＳと各基地局ＢＳ１、ＢＳ２との間の電波伝送路のうち伝搬損失が最小となる電波伝送路を通って伝送される送信電力制御ビットの軟判定値に基づいて送信電力制御信号が決定される。
【０１５５】
従って、移動局ＭＳと各基地局ＢＳ１、ＢＳ２との間の伝送路の状態が比較的良好なとき（フェージング周波数が比較的小さいとき）には、各基地局ＢＳ１、ＢＳ２から伝送される双方の送信電力制御ビットに基づいて移動局ＭＳでの送信電力制御信号が決定される。また、移動局ＭＳと各基地局ＢＳ１、ＢＳ２との間の伝送路の状態があまり良くないとき（フェージング周波数が比較的大きいとき）には、最も良好な（伝搬損失が最小となる）伝送路を通って伝送される送信電力制御ビットだけに基づいて移動局ＭＳでの送信電力制御信号が決定されることになる。その結果、移動局ＭＳと各基地局ＢＳ１、ＢＳ２との間のより良い伝送路の状態を考慮した移動局ＭＳでの送信電力制御が可能となる。
【０１５６】
なお、上記例では、図６に示す構成にて得られる送信電力制御信号と、図３に示す構成にて得られる送信電力制御信号とを、フェージング周波数に基づいて切換えるようにしたが、その図６に示す構成にて得られる送信電力制御信号に代えて、図７または図８に示す構成にて得られる送信電力制御信号を用いることもできる。
【０１５７】
なお、上記各例では、移動局ＭＳが２つの基地局ＢＳ１、ＢＳ２と無線接続される場合について説明したが、移動局ＭＳが３つ以上の基地局と無線接続される場合についても、同様の処理を行うことにより、移動局ＭＳの送信電力制御を行うことができる。
【０１５８】
また、上記各例では、移動局ＭＳと各基地局ＢＳ１、ＢＳ２との間の電波伝送路の伝搬損失を考慮して移動局ＭＳにて得られる各基地局からの送信電力制御情報から送信電力制御に用いられるべき送信電力制御情報を決定している。本発明はこれに限定されず、上記伝搬損失に代えて、各基地局から送信されるパイロット信号に基づいて測定される移動局ＭＳと各基地局ＢＳ１、ＢＳ２との間の伝送路品質を表す情報となるパイロット信号の受信レベルや該パイロット信号から演算される受信ＳＩＲ等を用いることも可能である。その伝送品質を表す情報は、移動局ＭＳが無線接続されるべき基地局を決定するために使用されるものであることが、装置の構成を簡略化できるという観点から好ましい。
【０１５９】
上記各例において、パイロット信号復調／伝搬損失演算部３１、３２は、伝搬損失演算手段、伝送路品質測定手段に対応し、送信電力制御信号決定部３３は、送信ン電力制御情報決定手段に対応する。
【０１６０】
また、重み係数決定部３１０、重み補正部３１１、３１２は、重み補正手段に対応し、合成部３１３は合成手段に対応し、図９に示す選択部３３４は、選択手段に対応する。
［実施例２］
以下、本発明の実施の一形態を図面に基づいて説明する。
【０１６１】
本発明の実施の一形態に係る送信電力制御方法が適用される無線通信システムは、例えば、図１０に示すように構成される。この無線通信システムは、移動局と基地局との間で信号の送受信がなされるＣＤＭＡ方式の移動通信システムである。
【０１６２】
図１０において、移動局１００と基地局２００とが、ＣＤＭＡ方式に従って信号（パケット、制御信号、音声信号など）の送受信を行う。移動局１００は、送受信装置１１０、信号処理部１５０及びユーザインタフェース１６０を有する。また、基地局２００は、送受信装置２１０及び信号処理部２２０を有する。
【０１６３】
移動局１００のユーザインタフェース１６０にてユーザから入力された情報（音声、文書、画像等）は、信号処理部１５０にて所定の形式の信号となるように処理される。信号処理部１５０からの信号は、送受信装置１１０に供給され、符号化処理、変調処理等の所定の処理が施される。そして、その処理により得られた信号が送受信装置１１０から基地局２００に送信される。
【０１６４】
移動局１００からの信号を受信した基地局２００の送受信装置２１０は、その受信信号に対して復調処理、復号処理等の所定の処理を施す。そして、送受信装置２１０にて生成された信号が信号処理部２２０にてネットワーク上を伝送可能な形式に変換され、その信号が信号処理部２２０からネットワークを介して通信相手の端末に送信される。
【０１６５】
基地局２００において、ネットワークから供給される信号は、信号処理部２２０にて所定の形式となるように処理される。この信号処理部２２０からの信号は、送受信装置２１０に供給され、符号化処理、変調処理等の所定の処理が施される。その処理により得られた信号が送受信装置２１０から移動局１００に送信される。
【０１６６】
基地局２００からの信号を受信した移動局１００の送受信装置１１０は、その受信信号に対して復調処理、復号処理等の所定の処理を施す。そして、送受信装置１１０で生成された信号が信号処理部１５０にてユーザインタフェース１６０で処理可能な形式に変換され、その信号に基づいてユーザインタフェース１６０からユーザに対して情報（音声、文書（メール）、画像等）の提示がなされる。
【０１６７】
移動局１００の送受信装置１１０は、基地局２００から送信される送信電力制御ビット（電力増加または電力減少を表す送信電力制御情報）に基づいて送信電力制御（上り回線送信電力制御）を行う。基地局２００の送受信装置２１０も、移動局１００から送信される送信電力制御ビットに基づいて送信電力制御（下り回線送信電力制御）を行う。従って、移動局１００及び基地局２００の送受信装置１１０及び２１０は、送信電力制御に関して略同様の構成となっている。以下、上り回線送信電力制御について説明する。
【０１６８】
移動局１００の送受信装置１１０は、例えば、図１１に示すように構成される。
【０１６９】
図１１において、この送受信装置１１０は、送受分離部１１１を共用した送信系と受信系とを有している。受信系は、無線受信部１１２、誤り訂正符号／誤り検出部１１３、誤り率測定部１１４、ＳＩＲ測定部１１５、ＳＩＲ比較部１１６、目標ＳＩＲ決定部１１７、送信電力制御ビット決定部１１８及び送信電力制御ビット抽出部１１９を有している。
【０１７０】
基地局２００から送信される信号が送受分離部１１１を介して無線受信部１１２に供給される。この無線受信部１１２は、送受分離部１１１から供給される受信信号に対して逆拡散処理及び復調処理を施してベースバンド信号を生成する。後述するように、上記受信信号は、基地局２００から送信されるデータに対応したデータ信号と送信電力制御ビットに対応した制御信号とを含んでおり、その制御信号に対する復調処理にて得られたベースバンド信号は、送信電力制御ビット抽出部１１９に供給される。送信電力制御ビット抽出部１１９は、そのベースバンド信号から送信電力制御ビットを復元する。
【０１７１】
無線受信部１１２による上記データ信号に対する復調処理にて得られたベースバンド信号は、誤り訂正復号／誤り検出部１１３に供給され、フレーム単位に誤り訂正復号がなされると共に、例えば、CRC（cycle redundancy check）の手法に従って伝送誤りの有無の検出がなされる。その復号結果が情報出力として当該送受信装置１１０から信号処理部１５０（図１０参照）に供給される。この誤り訂正復号／誤り検出部１１３は、更に、フレーム単位毎に上記伝送誤りの有無を表す誤り検出結果を出力する。
【０１７２】
誤り率測定部１１４は、上記誤り訂正復号／誤り検出部１１３からの誤り検出結果に基づいて、フレーム誤り率（FER：Frame Error Rate）を受信信号（希望波）から復元した情報の受信品質として演算する。
【０１７３】
ＳＩＲ測定部１１５は、無線受信部１１２にて得られた受信信号に基づいて受信ＳＩＲ（希望波対干渉波及び雑音電力比）を演算する。この演算周期は、データのフレーム周期より短い。目標ＳＩＲ決定部１１７は、誤り測定部１１４から出力される情報の受信品質（FER）が目標品質となるように、目標ＳＩＲを決定する。具体的には、この目標ＳＩＲ決定部１１７は、情報の受信品質が目標品質より低ければ、目標ＳＩＲの値を高くし、情報の受信品質が目標品質より高ければ、目標ＳＩＲの値を低くするような制御（アウターループ制御）を行う。ＳＩＲ比較部１１６は、上記ＳＩＲ測定部１１５からの受信ＳＩＲと目標ＳＩＲ決定部１１７からの目標ＳＩＲとを比較し、その比較結果を出力する。
【０１７４】
送信電力制御ビット決定部１１８は、ＳＩＲ比較部１１６からの比較結果に基づいて、基地局２００での送信電力制御に用いられるべき送信電力制御ビットを決定する（インナーループ制御）。受信ＳＩＲが目標ＳＩＲより小さい場合、希望波の受信レベルが低いとして、送信電力制御ビットが送信電力を増加させるべき値（例えば、「１」）に決定される。一方、受信ＳＩＲが目標ＳＩＲより大きい場合、希望波の受信レベルが高いとして、送信電力制御ビットが送信電力を低減させるべき値（例えば、「０」）に決定される。このように値の決定された送信電力制御ビットは、送信電力制御ビット決定部１１８から後述するような送信系の無線送信部１２２に供給され、基地局２００に伝送される。
【０１７５】
移動局１００の送信系では、前述したように信号処理部１５０（図１０参照）から供給される情報に対して所定の処理、例えば、CRCの手法に従って誤り検出用のパリティビットをフレーム単位に付加する処理、このような処理により得られたフレーム単位のパリティ付きデータの誤り訂正符号化を行う処理等がなされる。この符号化データは、無線送信部１２２に供給される。    
無線送信部１２２は、上記のように供給される符号化データに対して変調処理を行ってデータ変調信号を生成する。また、無線送信部１２２は、前述したように送信電力制御ビット決定部１１８から供給される送信電力制御ビットに対して変調処理を行って制御ビット変調信号を生成し、この制御ビット変調信号と上記データ変調信号とを多重化する。そして、所定の拡散コードを用いてその多重化された信号の拡散処理がなされる。無線送信部１２２は、その拡散処理にて得られた信号を、送受分離部１１１を介して送信する。
【０１７６】
この移動局１００の送信系は、更に、送信電力制御部１２３、ＳＩＲ監視部１２４、徐々上げビットパターン生成部１２５及びスイッチ１２６を有している。
【０１７７】
上記受信系における送信電力制御ビット抽出部１１９からの送信電力制御ビットは、スイッチ１２６を介して送信電力制御部１２３に供給される。この場合、送信電力制御部１２３は、上記基地局２００からの送信電力制御ビットに基づいて無線送信部１２２での送信電力を制御する。このような制御により、基地局２００での受信ＳＩＲが目標ＳＩＲに近づくように、移動局１００における無線送信部１２２での送信電力制御がなされる。
【０１７８】
ＳＩＲ監視部１２４は、前述したＳＩＲ測定部１１５にて測定された受信ＳＩＲ及び目標ＳＩＲ決定部１１７にて決定された目標ＳＩＲを入力し、予め設定された第一の閾値ＴｈA及び第二の閾値ＴｈBを用いて上記受信ＳＩＲが正常な状態にあるか否かを監視する。そして、このＳＩＲ監視部１２４は、受信ＳＩＲが正常な状態であると判定すると、第一の状態（例えば、ローレベル）の制御信号を出力する一方、受信ＳＩＲが異常な状態であると判定すると、第二の状態（例えば、ハイレベル）となる制御信号を出力する。
【０１７９】
上記ＳＩＲ監視部１２４から第一の状態となる制御信号が出力される場合（受信ＳＩＲが正常な状態）、その制御信号に基づいて上記スイッチ１２６は、送信電力制御ビット抽出部１１９を送信電力制御部１２３に接続する状態となる。その結果、上述したように、送信電力制御ビット抽出部１１９からの送信電力制御ビットが送信電力制御部１２３に供給される。
【０１８０】
一方、上記ＳＩＲ監視部１２４から第二の状態となる制御信号が出力される場合（受信ＳＩＲが異常な状態）、その制御信号に基づいて徐々上げビットパターン生成部１２５が起動される。この徐々上げビットパターン生成部１２５は、送信電力が徐々に上昇するように作用する送信電力制御ビット列に対応したビットパターン（以下、徐々上げビットパターンという）を生成する。また、その制御信号に基づいて上記スイッチ１２６は、徐々上げビットパターン生成部１２５を送信電力制御部１２３に接続する状態となる。その結果、徐々上げビットパターン生成部１２５にて生成される徐々上げビットパターンが送信電力制御部１２３に供給される。
【０１８１】
上記ＳＩＲ監視部１２４は、例えば、図１２に示すように構成される。
【０１８２】
図１２において、ＳＩＲ監視部１２４は、受信ＳＩＲと第一の閾値ＴｈAとを比較する比較器１３１、目標ＳＩＲから受信ＳＩＲを減算してＳＩＲ差分値ΔSIRを出力する減算器１３２、減算器１３２から出力されるＳＩＲ差分値ΔSIRと第二の閾値ＴｈBとを比較する比較器１３３を有している。上記比較器１３１は、受信ＳＩＲが第一の閾値ＴｈAより小さくなるときに、例えば、ハイレベルとなる信号を出力し、受信ＳＩＲが第一の閾値ＴｈA以上となるときに、例えば、ローレベルとなる信号を出力する。上記比較器１３３は、上記ＳＩＲ差分値ΔSIRが第二の閾値ＴｈB以上となるときに、例えば、ハイレベルとなる信号を出力し、上記ＳＩＲ差分値ΔSIRが第二の閾値ＴｈBより小さくなるときに、例えば、ローレベルとなる信号を出力する。
【０１８３】
また、このＳＩＲ監視部１２４は、オアゲート１３４、アップ／ダウンカウンタ１３５及びアンドゲート１３６を有する。上記比較器１３１及び１３３の出力信号がオアゲート１３４に入力され、このオアゲート１３４からの出力信号がアップ／ダウンカウンタ１３５のスタート端子（Ｓ）及びリセット端子（Ｒ）に入力すると共にアンドゲート１３６に入力されている。また、前述した徐々上げビットパターン生成部１２５にて生成される徐々上げビットパターンがアップ／ダウンカウンタ１３５の計数端子（Ｃ）に入力されている。
【０１８４】
アップ／ダウンカウンタ１３５は、オアゲート１３４からの出力信号がハイレベルに立ち上がると、リセットされてスタートし、その出力信号をハイレベルに立ち上げる。このアップ／ダウンカウンタ１３５は、徐々上げビットパターンの電力増加を表すビット（例えば、「１」）が入力されると＋１だけアップカウントし、電力減少を表すビット（例えば、「０」）が入力されると−１だけダウンカウントする。そして、その計数値が所定値Ｎに達するとアップ／ダウンカウンタ１３５は、その出力信号をローレベルに立ち下げる。このアップ／ダウンカウンタ１３５の出力信号は上記オアゲート１３４の出力と共にアンドゲート１３６に入力される。このアンドゲート１３６の出力がＳＩＲ監視部１２４の出力となる。
【０１８５】
上記徐々上げビットパターンの各ビットの値に応じてアップカウント及びダウンカウントを行うアップ／ダウンカウンタ１３５でのカウント値は、その徐々上げビットパターンにて制御される送信電力の上昇量に対応する。このアップ／ダウンカウンタ１３５に設定される上記所定値Ｎは、徐々上げビットパターンにて制御される送信電力の上昇量の上限に対応したものとなる。
【０１８６】
上記のような構成となる移動局１００では、例えば、図１３に示すような送信電力制御（上り回線送信電力制御）がなされる。
【０１８７】
図１３において、受信ＳＩＲが目標ＳＩＲを挟む比較的狭い範囲を推移している状態（時刻ｔ1までの期間）では、受信ＳＩＲは第一の閾値ＴｈA以上の値となり、目標ＳＩＲと受信ＳＩＲとの差を表すＳＩＲ差分値ΔSIRは第二の閾値ＴｈBより小さい値となる。従って、ＳＩＲ監視部１２４における比較器１３１及び１３３の出力は共にローレベルとなって、このＳＩＲ監視部１２４から出力される制御信号は第一の状態（ローレベル）となる。この制御信号により、スイッチ２６は送信電力制御ビット抽出部１１９を送信電力制御部１２３に接続する状態となり、この送信電力制御ビット抽出部１１９にて抽出される基地局２００からの送信電力制御ビット（…１１１００００１１１１０００）に基づいて送信電力制御部１２３が無線送信部１２２の送信電力制御を行う。この状態は、正常な状態であり、移動局１００での送信電力制御は、基地局２００での受信ＳＩＲが目標ＳＩＲに近づくようになされる。
【０１８８】
ここで、何らかの原因で、基地局２００からの受信信号の品質が低下して受信ＳＩＲが低下する（時刻ｔ1から時刻ｔ2までの間）。この状態では、受信ＳＩＲと目標ＳＩＲとの関係に基づいて、送信電力制御ビット決定部１１８は、基地局２００の送信電力を上昇させるための送信電力制御ビットを生成し、その送信電力制御ビットが移動局１００から基地局２００に送信されている。それにも係わらず、基地局２００からの受信信号の品質が低下して受信ＳＩＲが第一の閾値ＴｈAより小さくなると（時刻ｔ2）、ＳＩＲ監視部１２４における比較器１３１の出力がハイレベルとなり、それに伴って、アップ／ダウンカウンタ１３５が起動され、アップ／ダウンカウンタ１３５の出力信号がハイレベルとなる。その結果、アンドゲート１３６、即ち、ＳＩＲ監視部１２４から第二の状態（ハイレベル）となる制御信号が出力される。
【０１８９】
このようにＳＩＲ監視部１２４から出力される制御信号が第二の状態となると、徐々上げビットパターン生成部１２５が起動されると共に、スイッチ１２６がこの徐々上げビットパターン生成部１２５を送信電力制御部１２３に接続する状態に切換わる。それにより、送信電力制御部１２３は、徐々上げビットパターン生成部１２５からの徐々上げビットパターンに基づいて無線送信部１２２の送信電力制御を行う。
【０１９０】
上記徐々上げビットパターンが、例えば、（１１１０１１１０１１１）となる場合、所定周期で３回の所定量（例えば、１dB）増加と１回の所定量減少とが交互になされることによって、送信電力は徐々に上昇する。その過程で、移動局１００から送信される送信電力制御ビットの基地局２００での受信品質が改善されると、基地局２００では、移動局１００にて生成された送信電力制御ビットに基づいた正常な送信電力制御を行うようになる。
【０１９１】
このように移動局１００において、基地局２００からの送信電力制御ビットに係わらず、徐々上げビットパターンに基づいた送信電力の自律的な制御がなされることにより、移動局１００のＳＩＲ測定部１１５で測定される受信ＳＩＲが、図１３の点線で示すように更に低下する異常な挙動を示すことなく、徐々に上昇し、時刻ｔ3で上記第一の閾値ＴｈA以上になると、ＳＩＲ監視部１２４における比較器１３１の出力がローレベルに立ち下がる。それにより、ＳＩＲ監視部１２４からの制御信号が第一の状態（ローレベル）に切換わる。すると、スイッチ１２６が送信電力制御ビット抽出部１１９を送信電力制御部１２３に接続する状態に切換わり、送信電力制御部１２３は、上述した正常時と同様に、送信電力制御ビット抽出部１１９にて抽出された基地局２００から送信される送信電力制御ビット（００１１１００００１１…）に基づいて無線送信部１２２の送信電力制御を行う。
【０１９２】
移動局１００では、目標ＳＩＲが受信される情報の品質（FER）に基づいて制御されている（アウターループ制御）。このため、受信ＳＩＲの絶対値だけを監視していても、必ずしもその受信ＳＩＲの異常を検出することができない。このため、この例では、更に、目標ＳＩＲから受信ＳＩＲを減算して得られるＳＩＲ差分値ΔSIRと第二の閾値ＴｈBと比較し、その比較結果に基づいて、送信電力制御を行っている。
【０１９３】
即ち、受信ＳＩＲが第一の閾値ＴｈA以上となる状態であっても、ＳＩＲ差分値ΔSIRが第二の閾値ＴｈB以上になると、ＳＩＲ監視部１２４の比較器１３２の出力がハイレベルとなり、前述したのと同様に、ＳＩＲ監視部１２４から第二の状態（ハイレベル）となる制御信号が出力される。この第二の状態となる制御信号により、上述したのと同様に、徐々上げビットパターンに基づいた送信電力の自律的な制御がなされる。
【０１９４】
また、上記のように徐々上げビットパターンに基づいた送信電力の自律的な制御がなされている過程で、受信ＳＩＲがなかなか改善されない場合、当該受信ＳＩＲが第一の閾値ＴｈA以上となる前にＳＩＲ監視部１２４におけるアップ／ダウンカウンタ１３５の計数値が所定値Ｎに達してしまう。即ち、送信電力の上昇量が上限に達してしまう。すると、アップ／ダウンカウンタ１３５からの出力信号がローレベルに立下り、ＳＩＲ監視部１２４からの制御信号が第一の状態に切換わる。これにより、上記のような徐々上げビットパターンに基づいた送信電力の自律的な制御が中断され、基地局２００からの送信電力制御ビットに基づいた通常の送信電力制御が行なわれるようになる。
【０１９５】
このように、徐々上げビットパターンの各ビットの値に応じてアップカウント及びダウンカウントを行うアップ／ダウンカウンタ１３５の計数値が所定値Ｎに達したときに、その徐々上げビットパターンに基づいた送信電力の自律的な制御を中断することにより、受信ＳＩＲの改善の見込みがない状態での無駄な送信電力の上昇を防止することができる。
【０１９６】
上述したような移動局１００での送信電力制御によれば、受信ＳＩＲに基づいて生成される送信電力制御ビットを基地局２００に送信していいるにも係わらず、その受信ＳＩＲの改善がなされない場合に、移動局１００での送信電力を徐々に上昇させるようにしているので、基地局２００にて受信される送信電力制御ビットの品質を改善することができるようになる。その基地局２００での受信送信電力制御ビットの品質の改善により、基地局２００での送信電力制御が正常に行なわれるようになり、移動局１００にて測定される受信ＳＩＲが連続して所定の品質（目標ＳＩＲ）より低下することが防止されるようになる。
【０１９７】
上述した第一の閾値ＴｈA及び第二の閾値ＴＨBは、移動通信システムにおける実際の通信状況等に基づいて実験的に求められた適当な値に設定される。また、アップ／ダウンカウンタ１３５に設定される送信電力の上昇量の上限に対応した所定値Ｎは、受信ＳＩＲの改善特性や無駄のない電力制御などの兼ね合いなどに基づいて定められる。
【０１９８】
なお、上記例では、受信ＳＩＲと第一の閾値ＴｈAとの比較結果及びＳＩＲ差分値ΔSIRと第二の閾値ＴｈBとの比較結果に基づいて受信ＳＩＲが正常であるか否かを判定しているが、いずれか一方の比較結果に基づいて受信ＳＩＲが正常か否かを判定することもできる。特に、目標ＳＩＲを固定値として送信電力制御を行う場合、上記両比較結果のいずれか一方に基づいて受信ＳＩＲの正常性を判定すればよい。
【０１９９】
閾値を用いて受信ＳＩＲの正常性を判定する手法は、上述した例に限られず、正常から異常に移行する際の閾値と、異常から正常に復帰する際の閾値を別にすることもできる。また、閾値で区別される状態（正常状態または異常状態）が所定時間継続したときに、その状態であることの最終判定を行うようにしてもよい。更に、閾値を用いた他の一般的な判定手法を用いることができる。
【０２００】
上記の例では、徐々上げビットパターンにより、電力増加及び電力減少を組み合わせて送信電力が徐々に上昇するようにしているが、電力増加と電力を維持するという制御状態を用いて、送信電力を徐々に上昇させることもできる。
【０２０１】
上記例では、受信ＳＩＲが改善されるまで送信電力を徐々に上昇させるようにしているが、受信ＳＩＲが異常であると判定されたときに、送信電力を所定量だけ一気に上昇させ、その状態を維持して受信ＳＩＲが所定時間内に改善されるか否かを判定することもできる。この場合、その所定時間内に受信ＳＩＲがある状態まで改善された場合は、通常の送信電力制御に戻す。なお、この場合、受信ＳＩＲが改善されないまま比較的高い送信電力値を維持することによる無駄な制御が行なわれることを防止するという観点から、受信ＳＩＲがある状態まで改善されないまま上記所定時間が経過した場合には、通常の送信電力制御に戻すこともできる。
【０２０２】
また、上記例では、徐々上げビットパターンに基づいた送信電力の自律的な制御を行っている過程で、その上昇量が上限に達したとき（アップ／ダウンカウンタ１３５の計数値が所定値Ｎに達したとき）に送信電力制御ビットに基づいた通常の送信電力制御に戻すようにしているが、その時点での送信電力値に固定するようにすることもできる。
【０２０３】
上記ＳＩＲ監視部１２４にて用いられる受信ＳＩＲは、上記例では、例えば、各スロット毎に測定される値を用いたが、複数スロットに渡って平均化した値を用いることもできる。
【０２０４】
また、移動局１００がソフトハンドオーバにより複数の基地局と無線接続される場合、各基地局から受信信号を合成した合成受信信号に対する受信ＳＩＲに基づいて上述した送信電力制御を行うことができる。
【０２０５】
上述した送信電力制御は移動局１００でなされるようにしたが、基地局１００でなされるようにしてもよい。
【０２０６】
上記例において、ＳＩＲ監視部１２４は、品質判定手順（手段）に対応し、徐々上げビットパターン生成部１２５及びスイッチ１２６は、自律制御手順（手段）に対応する。
【０２０７】
図１２に示す比較器１３１は、第一の閾値判定手順（手段）に対応し、減算器１３２は差分値演算手順（手段）に対応し、比較器１３３は、第二の閾値判定手順（手段）に対応する。
【０２０８】
徐々上げビットパターン生成部１２５は、自律送信電力制御情報を生成する手順（手段）に対応し、スイッチ１２６は、制御切換え手順（手段）に対応する。また、図１２に示すアップ／ダウンカウンタ１３５は、判定手順（手段）に対応し、アンドゲート１３６は、自律制御停止手順（手段）に対応する。
［実施例３］
以下、本発明の実施の形態を図面に基づいて説明する。
【０２０９】
本発明の実施の一形態に係る送信電力制御方法が適用される移動通信システムは、前述した移動通信システムと同様、図１０に示すように構成される。
【０２１０】
図１０において、移動局１００と基地局２００とが、ＣＤＭＡ方式に従って信号（パケット、制御信号、音声信号など）の送受信を行う。移動局１００は、送受信装置１１０、信号処理部１５０及びユーザインタフェース１６０を有する。また、基地局２００は、送受信装置２１０及び信号処理部２２０を有する。
【０２１１】
移動局１００のユーザインタフェース１６０にてユーザから入力された情報（音声、文書、画像等）は、信号処理部１５０にて所定の形式の信号となるように処理される。信号処理部１５０からの信号は、送受信装置１１０に供給され、符号化処理、変調処理等の所定の処理が施される。そして、その処理により得られた信号が送受信装置１１０から基地局２００に送信される。
【０２１２】
移動局１００からの信号を受信した基地局２００の送受信装置２１０は、その受信信号に対して復調処理、復号処理等の所定の処理を施す。そして、送受信装置２１０にて生成された信号が信号処理部２２０にてネットワーク上を伝送可能な形式に変換され、その信号が信号処理部２２０からネットワークを介して通信相手の端末に送信される。
【０２１３】
基地局２００において、ネットワークから供給される信号は、信号処理部２２０にて所定の形式となるように処理される。この信号処理部２２０からの信号は、送受信装置２１０に供給され、符号化処理、変調処理等の所定の処理が施される。その処理により得られた信号が送受信装置２１０から移動局１００に送信される。
【０２１４】
基地局２００からの信号を受信した移動局１００の送受信装置１１０は、その受信信号に対して復調処理、復号処理等の所定の処理を施す。そして、送受信装置１１０で生成された信号が信号処理部１５０にてユーザインタフェース１６０で処理可能な形式に変換され、その信号に基づいてユーザインタフェース１６０からユーザに対して情報（音声、文書（メール）、画像等）の提示がなされる。
【０２１５】
移動局１００の送受信装置１１０は、通常、基地局２００から送信される送信電力制御ビット（電力増加または電力減少を表す送信電力制御情報）に基づいて送信電力制御（上り回線送信電力制御）を行う。基地局２００の送受信装置２１０も、移動局１００から送信される送信電力制御ビットに基づいて送信電力制御（下り回線送信電力制御）を行う。
【０２１６】
移動局１００の送受信装置１１０は、例えば、図１４に示すように構成される。
【０２１７】
図１４において、この送受信装置１１０は、送受分離部１１１を共用した送信系と受信系とを有している。受信系は、無線受信部１１２、誤り訂正復号／誤り検出部１１３、誤り率測定部１１４、ＳＩＲ測定部１１５、ＳＩＲ比較部１１６、目標ＳＩＲ決定部１１７、送信電力制御ビット決定部１１８及び送信電力制御ビット抽出部１１９を有している。
【０２１８】
基地局２００から送信される信号が送受分離部１１１を介して無線受信部１１２に供給される。この無線受信部１１２は、送受分離部１１１から供給される受信信号に対して逆拡散処理及び復調処理を施してベースバンド信号を生成する。後述するように、上記受信信号は、基地局２００から送信される情報データに対応したデータ信号と送信電力制御ビットに対応した制御信号とを含んでおり、その制御信号に対する復調処理にて得られたベースバンド信号は、送信電力制御ビット抽出部１１９に供給される。送信電力制御ビット抽出部１１９は、そのベースバンド信号から送信電力制御ビットを復元する。
【０２１９】
無線受信部１１２による上記データ信号に対する復調処理にて得られたベースバンド信号は、誤り訂正復号／誤り検出部１１３に供給され、フレーム単位に誤り訂正復号がなされると共に、例えば、CRC（cycle redundancy check）の手法に従って伝送誤りの有無の検出がなされる。その復号結果が情報出力として当該送受信装置１１０から信号処理部１５０（図１０参照）に供給される。この誤り訂正復号／誤り検出部１１３は、更に、フレーム単位毎に上記伝送誤りの有無を表す誤り検出結果を出力する。
【０２２０】
誤り率測定部１１４は、上記誤り訂正復号／誤り検出部１１３からの誤り検出結果に基づいて、フレーム誤り率（FER：Frame Error Rate）を受信信号（希望波）から復元した情報の受信品質として演算する。
【０２２１】
ＳＩＲ測定部１１５は、無線受信部１１２にて得られた受信信号に基づいて受信ＳＩＲ（希望波対干渉波及び雑音電力比）を演算する。この演算周期は、データのフレーム周期より短い。目標ＳＩＲ決定部１１７は、誤り率測定部１１４から出力される情報の受信品質（FER）が目標品質となるように、目標ＳＩＲを決定する。具体的には、この目標ＳＩＲ決定部１１７は、情報の受信品質が目標品質より低ければ、目標ＳＩＲの値を高くし、情報の受信品質が目標品質より高ければ、目標ＳＩＲの値を低くするような制御（アウターループ制御）を行う。ＳＩＲ比較部１１６は、上記ＳＩＲ測定部１１５からの受信ＳＩＲと目標ＳＩＲ決定部１１７からの目標ＳＩＲとを比較し、その比較結果を出力する。
【０２２２】
送信電力制御ビット決定部１１８は、ＳＩＲ比較部１１６からの比較結果に基づいて、基地局２００での送信電力制御に用いられるべき送信電力制御ビットを決定する（インナーループ制御）。受信ＳＩＲが目標ＳＩＲより小さい場合、希望波の受信レベルが低いとして、送信電力制御ビットが送信電力を増加させるべき値（例えば、「１」）に決定される。一方、受信ＳＩＲが目標ＳＩＲより大きい場合、希望波の受信レベルが高いとして、送信電力制御ビットが送信電力を低減させるべき値（例えば、「０」）に決定される。このように値の決定された送信電力制御ビットは、送信電力制御ビット決定部１１８から後述するような送信系の無線送信部１２２に供給され、基地局２００に伝送される。
【０２２３】
上記のような構成の受信系は、更に、同期状態判定部１３０及び閉ループ制御開始タイミング決定部１３５を有している。
【０２２４】
移動局１００は、基地局２００に伝送すべきデータを送信するための実質的な上り回線通信を開始する前に、基地局２００との間で所定のフォーマットとなる信号の送受信を行って同期をとるための処理を行う。この同期をとるための処理では、無線受信部１１２は、基地局２００からの信号に基づいて同期引き込みを行い、その同期引き込みにより同期を確立させる。
【０２２５】
上記同期状態判定部１３０は、無線受信部１１２での同期引き込みの状態を監視し、同期（上り同期）が確立されたか否かを判定する。この同期が確立されたことが判定されると、同期状態判定部１３０は、同期確立信号を出力する。また、上記閉ループ制御開始タイミング決定部１３５は、タイマ機能を有し、上記同期をとるための処理の過程で、当該送受信装置１１０の送信電力制御を行うために用いられるべき送信電力制御情報を切換えるための切換え制御信号を出力する。なお、この閉ループ制御開始タイミング決定部１３５の機能の詳細は、後述する。
【０２２６】
移動局１００の送信系では、前述したように信号処理部１５０（図１０参照）から供給される情報に対して所定の処理、例えば、CRCの手法に従って誤り検出用のパリティビットをフレーム単位に付加する処理、このような処理により得られたフレーム単位のパリティ付きデータの誤り訂正符号化を行う処理等がなされる。このようにして得られた符号化データは、無線送信部１２２に供給される。
【０２２７】
無線送信部１２２は、上記のように供給される符号化データに対して変調処理を行ってデータ変調信号を生成する。また、無線送信部１２２は、前述したように送信電力制御ビット決定部１１８から供給される送信電力制御ビットに対して変調処理を行って制御ビット変調信号を生成し、この制御ビット変調信号と上記データ変調信号とを多重化する。そして、所定の拡散コードを用いてその多重化された信号の拡散処理がなされる。無線送信部１２２は、その拡散処理にて得られた信号を、送受分離部１１１を介して送信する。
【０２２８】
この移動局１００における送受信装置１１０の送信系は、更に、送信電力制御部１２３、徐々上げビットパターン生成部１２５、スイッチ１２６及び送信開始／停止制御部１２７を有している。
【０２２９】
送信電力制御部１２３は、スイッチ１２６を介して供給される送信電力制御ビット抽出部１１９にて抽出された基地局２００からの送信電力制御ビットまたは徐々上げビットパターン生成部１２５にて生成される送信電力制御ビット（以下、徐々上げビットパターンという）に基づいて無線送信部１２２での送信電力を制御する。徐々上げビットパターン生成部１２５にて生成される徐々上げビットパターンは、連続して電力増加を表す送信電力制御ビット（1,1,1,1,…）に基づいて制御される送信電力の変化より緩やかに変化する特性にて送信電力を上昇させるように制御するための送信電力制御ビットとなる。この徐々上げビットパターンは、例えば、電力増加を表す連続した２つのビット「１」と電力減少を表す１つのビット「０」が繰り返し配列されるパターン（1,1,0,1,1,0,1,1,0,…）となる。
【０２３０】
前述したように、同期状態判定部１３０から同期確立信号が出力されると、送信開始／停止制御部１２７は、無線送信部１２２に基地局１００での同期処理に必要な所定フォーマットの信号の送信を開始させる。送信開始／停止制御部１２７は、無線送信部１２２に上記所定フォーマットの信号の送信を開始させる際に、送信開始信号(1)を出力する。閉ループ制御開始タイミング決定部１３５は、送信開始／停止制御部１２７からの送信開始信号(1)により起動されるタイマを有している。この閉ループ制御開始タイミング決定部１３５は、上記タイマでの計測時間が所定時間に達したか否かを判定し、その計測時間が所定時間に達すると、切換え制御信号を出力する。
【０２３１】
当該移動局１００が基地局２００に対する情報データの伝送を開始する前では、スイッチ１２６は、通常、送信電力制御部１２３を徐々上げビットパターン生成部１２５に接続する状態となる。この状態において、電力制御部１２３は、徐々上げビットパターン生成部１２５からの徐々上げビットパターンに基づいて無線送信部１２２の送信電力制御を行う。上記閉ループ制御開始タイミング決定部１３５から切換え制御信号が出力されると、スイッチ１２６は、送信電力制御部１２３を送信電力制御ビット抽出部１１９に接続する状態に切替わる。この状態において、電力制御部１２３は、送信電力制御ビット抽出部１１９にて抽出される基地局２００からの送信電力制御ビットに基づいて無線送信部１２２の送信電力制御を行う（閉ループ制御）。
【０２３２】
なお、基地局２００の送受信装置２１０は、移動局１００の送受信装置１１０と同様に、移動局１００からの受信信号に対する受信ＳＩＲに基づいて送信電力制御ビットを決定し、その送信電力制御ビットを移動局１００に送信する。また、基地局２００の送受信装置２１０は、移動局１００からの送信電力制御ビットに従って送信電力の制御を行う。
【０２３３】
上記のような構成の移動通信システムにおいて、基地局２００と移動局１００との間で情報データの伝送が開始される前に、従来のシステムと同様に、基地局２００と移動局１００は、共通制御チャネルを用いて種々の情報の送受信を行い、その後、上記各種の情報に基づいて決められた個別チャネル（拡散符号チャネル）を用いて所定フォーマットとなる信号の送受信を行って、同期をとるための処理を行う。この同期をとるための処理の基本的な手順は、図２１に示すものと同様である。
【０２３４】
このような同期をとるための処理の過程で、移動局１００での同期が確立すると（図２１に示す(3)）、送受信装置１１０の同期状態判定部１３０から出力される同期確立信号に基づいた送信開始／停止制御部１２７の制御により、無線送信部１２２から所定フォーマットの信号の送信が開始される（図２１に示す(4)）。そして、その信号に対する送信電力制御が、例えば、図１５に示すようになされる。この送信電力制御の開始と同時に、上記同期状態判定部１３０からの送信開始信号(1)により閉ループ制御開始タイミング決定部１３５のタイマが起動される。
【０２３５】
なお、基地局２００は、当初、移動局１００からの送信を受信していない状態で、下り送信を開始しなければならないので（図２１に示す(1)参照）、例えば、従来のシステムと同様に、連続的に電力増加を表すパターンの送信電力制御ビット（1,1,1,1,…）を送信する。
【０２３６】
図１５において、移動局１００での同期が確立して、時刻ｔ1から所定フォーマットの信号が無線送信部１２２から送信される際に、徐々上げビットパターン生成部１２５からの徐々上げビットパターン（1,1,01,1,0,…）がスイッチ１２６を介して送信電力制御部１２３に供給される。送信電力制御部１２３は、その徐々上げビットパターンに従って、無線送信部１２２の送信電力を、例えば、伝搬損失等に基づいて決められた初期値Ｐ0から順次上昇させる。この場合、送信電力の上昇特性は、基地局２００からの送信電力制御ビット（1,1,1,1,…）に従った送信電力の変化（二点鎖線参照）より緩やかに変化するものである。
【０２３７】
このように送信電力が徐々に上昇されつつ無線送信部１２２から上記所定の信号が送信される過程で、その信号に基づいて基地局２００で同期引き込みがなされ（図２１に示す(5)）、例えば、時刻ｔ21において基地局２００での同期が確立すると、基地局２００は、上記のような連続的な電力増加を表す送信電力制御ビット（1,1,1,1,…）に代えて、移動局１００からの信号に対する受信ＳＩＲに基づいて決定される送信電力制御ビットの出力を開始する。
【０２３８】
上記基地局２００での同期が確立する時刻ｔ21では、まだ、閉ループ制御開始タイミング決定部１３５は、タイマでの計測時間が所定時間（自律制御期間Ｔs）に達したと判定しないので、電力制御部１２３は、徐々上げビットパターンに従った送信電力制御を継続する。そして、時刻ｔ3において、閉ループ制御開始タイミング決定部１３５にてタイマでの計測時間が所定時間に達したと判定されると、閉ループ制御開始タイミング決定部１３５から切換え制御信号が出力される。この切換え制御信号により、スイッチ１２６が、送信電力制御部１２３を送信電力制御ビット抽出部１１９に接続する状態に切替わる。以後、当該移動局１００からの信号の受信ＳＩＲに基づいて決定される基地局２００からの送信電力制御ビットに従って無線送信部１２２の送信電力制御（閉ループ制御）がなされる。
【０２３９】
このような基地局２００からの送信電力制御ビットに従って無線送信部１２２の送信電力が制御されることにより、上記時刻ｔ3以後の送信電力は、徐々に低下し、基地局２００での受信ＳＩＲが目標ＳＩＲに維持され得る適正な値に維持されるようになる。このような状態において、所定のタイミングにて、移動局１００の送受信装置１１０は、伝送すべきデータを含めた信号を送信するための実質的な上り回線通信を開始する。
【０２４０】
上述したような基地局２００と移動局１００との間で情報データの伝送が開始される前における移動局１００での送信電力制御によれば、移動局１００での同期が確立した後に、当該移動局１００から信号を送信する際に徐々上げビットパターン（1,1,0,1,1,0,…）に従って送信電力の制御がなされるので、送信電力が、従来のシステムのように急激に上昇することが防止される。また、このような徐々上げビットパターンに従った送信電力制御であっても、基地局２００での受信品質（受信ＳＩＲ）が所望の品質（目標ＳＩＲ）に維持できる程度の送信電力値には比較的早期に達するので、基地局２００での同期も比較的早期に確立することができる。
【０２４１】
上記閉ループ制御開始タイミング決定部１３５のタイマに設定される所定時間は、上記徐々上げビットに従った送信電力制御がなされつつ移動局１００から送信される信号に基づいて基地局２００で同期の確立に要すると予想される時間に基づいて決められる。通常、その所定時間は、その予想される時間より僅かに長い時間に設定される。しかし、移動局１００と基地局２００との間の伝送路の状態によっては、基地局２００での同期の確立に上記所定時間より長い時間を要してしまう場合がある。
【０２４２】
このような場合、図１５に示すように、徐々上げビットパターンに従った送信電力制御から基地局２００からの送信電力制御ビットに従った送信電力に切換えられる時刻ｔ3から基地局２００での同期が実際に確立される時刻ｔ22までの間は、基地局２００からの連続して電力増加を表す送信電力制御ビット（1,1,1,1,…）に従って送信電力制御がなされる。この場合、時刻ｔ3から時刻ｔ22まで、送信電力は上昇するが、通常は、時刻ｔ3と時刻ｔ22との間の時間は僅かであるので、移動局１００で費やされる送信電力の増分も比較的少なくて済む（図１５における点線で示す特性参照）。
【０２４３】
一方、時刻ｔ3から時刻ｔ22との間の時間が長くなる場合は、基地局１００と移動局２００との間の伝送路の状態が極めて良くない状態である。このような状態では、基地局２００での同期を確立するために、本来、移動局１００の送信電力を十分大きな値に制御しなければならないので、この時刻ｔ3と時刻ｔ22の間でなされる連続して電力増加を表す送信電力制御ビットに従った送信電力制御は、無駄なものではない。
【０２４４】
上記閉ループ制御開始タイミング決定部１３５は、例えば、図１６に示す手順に従って送信電力制御を切換えるための切換え制御信号を出力することもできる。この例では、図１４に示すように、閉ループ制御開始タイミング決定部１３５は、上記送信開始／停止制御部１２７からの送信開始信号(1)と共に、送信電力制御ビット抽出部１１９にて抽出される基地局２００からの送信電力制御ビット(2)の状態に基づいて送信電力制御の切換えタイミングを決定している。
【０２４５】
また、閉ループ制御開始タイミング決定部１３５による図１６に示す手順に従った処理により、移動局２００の無線送信部１２２の送信電力は、例えば、図１７に示すように変化する。
【０２４６】
図１６において、上記送信開始信号(1)に基づいて無線送信部１２２から基地局２００での同期を確立するために用いられる信号の送信の開始（上り送信開始：図２１に示す(4)参照）が認識されると（Ｓ１）、タイマＴが起動される（Ｓ２）。そして、そのタイマＴでの計測時間が所定時間Ｔ0に達したか否かが判定される（Ｓ３）。このタイマＴの計測時間が所定時間Ｔ0に達していない状態（Ｓ３でＮＯ）では、前述した例と同様に、送信電力制御部１２３は、徐々上げビットパターン生成部１２５からの徐々上げビットパターンに従って無線送信部１２２の送信電力を制御する。その結果、無線送信部１２２の送信電力は、上記徐々上げビットパターンに従って比較的緩やかな特性にて徐々に上昇する。
【０２４７】
このような状態で、例えば、図１７に示す時刻ｔ2において、上記タイマＴの計測時間が所定時間Ｔ0に達すると、カウンタｎがゼロにリセットされ（Ｓ４）、その後、そのカウンタｎが＋１だけインクリメントされる（Ｓ５）。そして、閉ループ制御開始タイミング決定部１３５は、送信電力制御ビット抽出部１１９にて抽出された基地局２００からの単一の送信電力制御ビットの値Ｂn（１または０であり、以下、TPCビット値という）を取得する（Ｓ６）。そして、そのTPCビット値Ｂnを用いて、移動平均値Ａnが
【０２４８】
【数１】
2006262502.tif 000003
に従って演算される（Ｓ８）。
【０２４９】
カウンタ値ｎが所定値ｎ0に達するまで（Ｓ８参照）、カウンタｎのインクリメント（Ｓ５）、TPCビット値Ｂnの取得（Ｓ６）、移動平均値Ａnの演算（Ｓ７）が繰り返し実行される。そして、カウンタ値ｎが所定値ｎ0に達すると（Ｓ８でＹＥＳ）、その時点で得られる移動平均値Ａnは、連続するｎ0個のTPCビット値Ｂ1〜Ｂn0の平均値となる。TPCビット値は、１または０であり、その移動平均値Ａnは、その平均値演算（上記式（１）参照）に供される１となるTPCビット値の数と０となるTPCビット値の数の割合を反映させた値となる。
【０２５０】
即ち、基地局２００で同期が確立していない状態では、全て「１」となる送信電力制御ビットが基地局２００から出力されるので、その移動平均値Ａnは、理想的には１となる。一方、基地局２００での同期が確立した直後では、移動局２００からの信号の受信品質（受信ＳＩＲ）に基づいて決定される送信電力制御ビットが基地局２００から出力されるので、TPCビット値Ｂnは０となる割合が高くなり、その移動平均値Ａnは、１より小さくなる。
【０２５１】
従って、上記のようにカウンタ値ｎが所定値ｎ0を超えると、TPCビット値Ｂnの移動平均値Ａnが基準値α（０＜α＜１）以下であるか否かが判定される（Ｓ９）。そして、その移動平均値Ａnがその基準値α以下となるまで、取得されるTPCビット値Ｂnを用いて移動平均値Ａnが演算される（Ｓ６、Ｓ７）。
【０２５２】
そのような処理（Ｓ５、Ｓ６、Ｓ７、Ｓ８、Ｓ９）を繰り返し実行する過程で、例えば、図１７に示す時刻ｔ3で基地局２００での同期が確立すると、それ以後、基地局２００から０となる送信電力制御ビットが送信される頻度が高くなり、図１７に示す時刻ｔ4で、その移動平均値Ａnが基準値α以下になると（Ｓ９でＹＥＳ）、閉ループ制御開始タイミング決定部１３５は、切換え制御信号を出力する（Ｓ１０）。
【０２５３】
この切換え制御信号によりスイッチ１２６は、送信電力制御部１２３に送信電力制御ビット抽出部１１９を接続する状態となり、送信電力制御部１２３は、送信電力制御ビット抽出部１１９にて抽出される基地局２００からの送信電力制御ビットに基づいて無線送信部１２２の送信電力制御を行う。従って、図１７に示す時刻ｔ4以降では、無線送信部１２２の送信電力は順次低下し、移動局１００の基地局２００での受信ＳＩＲが目標ＳＩＲに維持できる程度の送信電力値に制御されるようになる。
【０２５４】
上記の例では、基地局２００での同期が確立する前には、当該基地局２００から全て「１」となる送信電力制御ビットが送信され、同期が確立した後には、当該基地局２００から移動局１００からの信号の受信品質（受信ＳＩＲ）に基づいて決定された送信電力制御ビット（閉ループ送信電力制御ビット）が送信されることを利用し、閉ループ制御開始タイミング決定部１３５が基地局２００での同期が確立したか否かを判定している。即ち、閉ループ制御開始タイミング決定部１３５は、基地局２００から送信される送信電力制御ビットが、全て「１」となるパターンから「０」と「１」が混在するパターンに変わったことを検出することにより、基地局２００での同期が確立したことを検出する。
【０２５５】
また、上記のように基地局２００から１となる送信電力制御ビットの数と０となる送信電力制御ビットの数との割合に基づいて、徐々上げパターンに従った送信電力の終了タイミングを判定するだけでなく、０となる送信電力制御ビットの所定の期間の累計値に基づいて判定することもできる。
【０２５６】
なお、図１７において、時刻ｔ2から時刻ｔ4までの時間が、図１６に示すＳ５〜Ｓ９の処理を繰り返し実行している期間（監視期間Ｔw）となる。この監視期間Ｔwでは、基地局２００からの送信電力制御ビットが監視されると共に、徐々上げビットパターンに従って無線送信機１２２の送信電力制御が行なわれる。
【０２５７】
また、上記基地局２００からの送信電力制御ビットの監視は、移動局１００からの信号の送信が開始された時刻ｔ2から開始することもできる。しかし、上記例では、移動局１００からの信号の送信が開始された時刻ｔ2から所定時間Ｔ0は、上述したような送信電力制御の監視がなされない。このため、この期間で、送信電力制御ビットの受信誤りがあっても、その誤りビットは上記監視の対象にはならない。送信電力制御ビットのパターンの変化が見込まれる期間だけ当該送信電力ビットの監視を行えばよいので、移動局１００での処理の負担が低減される。
【０２５８】
移動局１００の送受信装置１１０は、例えば、図１８に示すように構成することもできる。この例では、移動局１００での同期が確立して当該移動局１００から所定フォーマットの信号を基地局２００に送信する際に、基地局２００から送信される送信電力制御ビットに基づいてこの送信電力制御ビットによる送信電力の変化より緩やかに変化する特性に従って送信電力を制御するための送信電力制御情報（以下、1/N送信電力制御ビットという）を生成する。そして、その1/N送信電力制御ビットに従って移動局１００の送信電力を制御するようにしている。なお、図１８において、図１４と同様の部位には同じ参照番号が付されている。
【０２５９】
図１８において、この送受信装置１１０は、前述した例と同様に、送受分離部１１１を共用する受信系及び送信系を有する。当該受信系は、前述した例と同様に、無線受信部１１２、誤り訂正復号／誤り検出部１１３、誤り率測定部１１４、ＳＩＲ測定部１１５、ＳＩＲ比較部１１６、目標ＳＩＲ決定部１１７、送信電力制御ビット決定部１１８、送信電力制御ビット抽出部１１９及び同期状態判定部１３０を有している。また、上記送信系は、前述した例と同様に、無線送信部１２２及び送信開始／停止制御部１２７を有している。
【０２６０】
送信系は、更に、送信電力制御部１２３ａ、1/N送信電力制御部１２３ｂ、制御切換えスイッチ１２８を有している。制御切換えスイッチ１２８は、所定の制御部（図示略）からの切換え制御信号によって、無線送信部１２２を1/N送信電力制御部１２３ｂに接続する状態から、無線送信部１２２を送信電力制御部１２３ａに接続する状態に切替わる。送信電力制御部１２３ａは、送信電力制御ビット抽出部１１９にて抽出される基地局２００からの送信電力制御ビットがスイッチ１２８を介して供給されると、その送信電力制御ビットに基づいて無線送信部１２２の電力制御を行う。各送信電力制御ビットは、１スロットに割当てられており、送信電力制御部１２３ａは、その送信電力制御ビットに従って、無線送信部１２２の送信電力をスロット毎に更新する。
【０２６１】
1/N送信電力制御部１２３ｂは、送信電力制御ビット抽出部１１９にて抽出される基地局２００からの送信電力制御ビットをＮビット（例えば、３ビット）ずつ走査し、その中で最も多い値となる代表ビット（以下、1/N送信電力制御ビットという）を決める。そして、1/N送信電力制御部１２３ｂは、その1/N送信電力制御ビットに従ってＮスロット毎に無線送信部の送信電力を更新する。
【０２６２】
例えば、図１９に示すように、移動局１００での同期が確立し、無線送信部１２２から所定フォーマットの信号の送信が時刻ｔ1で開始されると、1/N送信電力制御部１２３ｂが、送信電力制御ビットから生成される1/N送信電力制御ビットに基づいて無線送信部１２２の送信電力を初期値から、３スロット（Ｎ＝３）毎に更新する。
【０２６３】
例えば、図１９に示すように、送信電力制御ビットが、
１１１１１１１０１１１１１０１１１１１０００００００１１１００１１
となる場合、
1/N送信電力制御ビットは、
・１・・１・・１・・１・・１・・１・・０・・０・・０・・１・・１…
となる。
【０２６４】
このような1/N送信電力制御ビットに基づいて３スロット毎に更新されるように制御される送信電力は、元の送信電力制御ビットに基づいて各スロット毎に更新されるように制御される送信電力より緩やかに変化する（図１９における点線の特性、及び実線の特性参照）。従って、無駄な電力消費を行うことなく、基地局２００での同期を確立させることができるようになる。
【０２６５】
このように送信電力制御がなされつつ移動局１００から送信される信号に基づいて、例えば、図１９に示す時刻ｔ2において、基地局２００での同期が確立すると、以後、基地局２００は、移動局１００からの信号の受信品質（受信ＳＩＲ）に基づいて決められる送信電力制御ビットを送信する。
【０２６６】
移動局１００では、1/N送信電力制御部１２３ｂが、送信電力制御ビット抽出部１１９にて抽出される上記送信電力制御ビットから前述した手法に従って1/N送信電力制御ビットを決定し、その1/N送信電力制御ビットに基づいて上記と同様の送信電力制御を継続する。そして、予め定めた所定のタイミングになると（図１９における時刻ｔ3）、所定の制御部からの切換え制御信号により、制御切換えスイッチ１２８は、無線送信部１２２を送信電力制御部１２３ａに接続する状態に切替わる。
【０２６７】
それにより、送信電力制御部１２３ａは、送信電力制御ビット抽出部１１９にて抽出される基地局２００からの送信電力制御ビットに基づいて無線送信部１２２の送信電力をスロット毎に更新する。
【０２６８】
基地局２００での同期が確立した後（時刻ｔ2以後）、移動局１００からの信号の基地局２００での受信品質（受信ＳＩＲ）が安定してくると、その受信信号品質と目標品質との差に基づいて決定される送信電力制御ビットに従った送信電力制御後の送信電力の変動幅は比較的小さいものとなる。このような状態では、基地局２００からの送信電力制御ビットに基づいて各スロット毎に更新される送信電力の変動と、1/N送信電力制御ビットに基づいて３スロット毎に更新される送信電力の変動との差は大きくならない(図１９における時刻ｔ2以降の実線及び破線の変動参照)。従って、上記1/N送信電力制御ビットに基づいた送信電力制御から元の送信電力制御ビットに基づいた送信電力制御への切換えタイミング（時刻ｔ3）は、比較的ラフに、かつ遅目に設定することができる。
【０２６９】
上記例では、送信電力制御ビットをＮビットずつ走査して、その中で最も多い値となるビットを1/N送信電力制御ビットとして決めているが、そのＮビット毎の平均値等に基づいて決めることもできる。
【０２７０】
上記各例において、徐々上げビットパターンに従った送信電力制御は、自律制御手順（手段）に対応し、閉ループ制御開始タイミング決定部１３５は、自律制御停止条件判定手順（手段）に対応し、スイッチ１２６は、制御切換え手順（手段）に対応する。
【０２７１】
また、図１８に示す1/N送信電力制御部１２３ｂは、緩特性送信電力制御手順（手段）に対応し、図１８に示す切換え制御信号を出力する所定の制御部は、緩特性送信電力制御停止判定手順（手段）に対応し、図１８に示す制御切換えスイッチ１２８は、制御切換え手順（手段）に対応する。
【図面の簡単な説明】
【０２７２】
【図１】本発明の実施の形態に係る送信電力制御方法が適用される移動通信システムにおけるソフトハンドオーバのモデル例を示す図である。
【図２】本発明の実施の形態に係る送信電力制御方法に従って送信電力制御のなされる移動局の構成例を示すブロック図である。
【図３】図２に示す移動局における送信電力制御信号決定部の第一の構成例を示すブロック図である。
【図４】図４は、硬判定部の構成例を示すブロック図である。
【図５】図５は、図４に示す演算部での演算論理の一例を示す図である。
【図６】図２に示す移動局における送信電力制御信号決定部の第二の構成例を示すブロック図である。
【図７】図２に示す移動局における送信電力制御信号決定部の第三の構成例を示すブロック図である。
【図８】図２に示す移動局における送信電力制御信号決定部の第四の構成例を示すブロック図である。
【図９】図２に示す移動局における送信電力制御信号決定部の第五の構成例を示すブロック図である。
【図１０】本発明の実施の一形態に係る送信電力制御方法が適用される移動通信システムの構成例を示すブロック図である。
【図１１】図１０に示す移動局における送受信装置の構成例を示すブロック図である。
【図１２】図１１に示す送受信装置におけるＳＩＲ監視部の構成例を示す図である。
【図１３】移動局での受信ＳＩＲの状態例と、それに基づいた送信電力制御の状態例を示す図である。
【図１４】移動局の送受信装置の構成例を示すブロック図である。
【図１５】移動局における送信電力の第一の制御例を示す図である。
【図１６】送受信装置における閉ループ制御開始タイミング決定部での処理手順の一例を示すフローチャートである。
【図１７】移動局における送信電力の第二の制御例を示す図である。
【図１８】移動局の送受信装置の他の構成例を示すブロック図である。
【図１９】移動局における送信電力の第三の制御例を示す図である。
【図２０】従来の送信電力制御に基づいた受信ＳＩＲの状態例を示す図である。
【図２１】移動局と基地局との間で同期をとるための手順の一例を示す図である。
【図２２】従来の送信電力制御方法に従った移動局における送信電力の制御例を示す図である。
【図１】
2006262502.tif 000004
【図２】
2006262502.tif 000005
【図３】
2006262502.tif 000006
【図４】
2006262502.tif 000007
【図５】
2006262502.tif 000008
【図６】
2006262502.tif 000009
【図７】
2006262502.tif 000010
【図８】
2006262502.tif 000011
【図９】
2006262502.tif 000012
【図１０】
2006262502.tif 000013
【図１１】
2006262502.tif 000014
【図１２】
2006262502.tif 000015
【図１３】
2006262502.tif 000016
【図１４】
2006262502.tif 000017
【図１５】
2006262502.tif 000018
【図１６】
2006262502.tif 000019
【図１７】
2006262502.tif 000020
【図１８】
2006262502.tif 000021
【図１９】
2006262502.tif 000022
【図２０】
2006262502.tif 000023
【図２１】
2006262502.tif 000024
【図２２】
2006262502.tif 000025